(57)【要約】      （修正有）【課題】構成を簡素化できるカメラシステム、交換レンズ、カメラ、及び、カメラシステムの電源供給方法を提供する。【解決手段】カメラ１０及び交換レンズ１００を備えたカメラシステムにおいて、カメラから交換レンズに電圧の異なる複数のレンズ駆動用電源ＶＬ１〜ＶＬ３を供給する。交換レンズは、供給された複数のレンズ駆動用電源を使用して、フォーカス駆動部、絞り駆動部等を複数の光学部材駆動部を駆動する。また、供給された複数のレンズ駆動用電源のうち最も低い電圧のレンズ駆動用電源ＶＬ１を使用して、レンズマイコン１１４を動作させるためのシステム電源を生成する。【選択図】図９
2020016885.tif 000002
【特許請求の範囲】
【請求項１】
カメラと、前記カメラに着脱自在に装着される交換レンズと、を備えたレンズ交換式のカメラシステムであって、
前記カメラは、
カメラ側マウントと、
複数の電源端子、グランド端子及び通信端子を含む複数の端子で構成され、前記カメラ側マウントに備えられるカメラ側端子群と、
前記カメラ側端子群の複数の前記電源端子に対して、それぞれ電圧の異なるレンズ駆動用電源を供給する電源供給部と、
カメラ制御部と、
を備え、
前記交換レンズは、
前記カメラ側マウントに着脱自在に装着されるレンズ側マウントと、
前記カメラ側端子群に対応して前記レンズ側マウントに備えられるレンズ側端子群と、
前記レンズ側端子群の複数の前記電源端子から入力される複数のレンズ駆動用電源により前記交換レンズを構成する少なくとも一つの光学部材を駆動する少なくとも一つの光学部材駆動部と、
前記光学部材駆動部よりも低い電圧で作動するレンズ制御部と、
前記レンズ側端子群の複数の前記電源端子から入力される複数のレンズ駆動用電源のうち最も低い電圧のレンズ駆動用電源を使用して、前記レンズ制御部に供給するシステム電源を生成するレンズ側システム電源生成部と、
を備えるカメラシステム。
【請求項２】
前記レンズ側システム電源生成部は、抵抗による電圧降下によりシステム電源を生成する、
請求項１に記載のカメラシステム。
【請求項３】
前記レンズ側マウントは、回転して前記カメラ側マウントに装着され、
前記カメラ側端子群及び前記レンズ側端子群は、複数の前記電源端子と前記グランド端子とが隣接して配置され、かつ、前記レンズ側マウントを前記カメラ側マウントに装着する場合の回転方向に対して複数の前記電源端子の前側に前記グランド端子が配置され、かつ、前記レンズ側マウントを前記カメラ側マウントに装着する場合の回転方向に対して前側から電圧の低い順に前記電源端子が配置される、
請求項１又は２に記載のカメラシステム。
【請求項４】
前記レンズ側マウントは、回転して前記カメラ側マウントに装着され、
前記カメラ側端子群及び前記レンズ側端子群は、それぞれレンズ検出端子を更に含み、
前記レンズ検出端子は、前記レンズ側マウントを前記カメラ側マウントに装着する場合の回転方向の先頭に配置される、
請求項１から３のいずれか１項に記載のカメラシステム。
【請求項５】
前記カメラ側端子群及び前記レンズ側端子群は、前記レンズ側マウントを前記カメラ側マウントに装着する場合の回転方向に対して、前記レンズ検出端子を先頭にして複数の前記電源端子、前記グランド端子及び前記通信端子を含む他の端子の順に配置される、
請求項４に記載のカメラシステム。
【請求項６】
前記カメラは、前記電源供給部から前記カメラ側端子群の複数の前記電源端子に供給されるレンズ駆動用電源の供給を個別にオンオフするレンズ駆動用電源スイッチ部を更に備え、
前記カメラ制御部は、前記交換レンズが装着されると、前記レンズ制御部と通信して、前記カメラに装着された前記交換レンズのレンズ情報を前記レンズ制御部から取得し、取得したレンズ情報に基づいて、前記カメラに装着された前記交換レンズに必要なレンズ駆動用電源を判別し、かつ、判別した結果に基づいて前記レンズ駆動用電源スイッチ部を制御し、必要なレンズ駆動用電源のみ供給させる、
請求項１から５のいずれか１項に記載のカメラシステム。
【請求項７】
前記電源供給部は、複数のレンズ駆動用電源のうちの最も高い電圧のレンズ駆動用電源の供給能力を強化させる供給能力強化機能を有し、
前記カメラ制御部は、前記交換レンズが装着されると、前記レンズ制御部と通信して、前記カメラに装着された前記交換レンズのレンズ情報を前記レンズ制御部から取得し、取得したレンズ情報に基づいて、供給能力が強化されたレンズ駆動用電源の要否を判別し、かつ、供給能力が強化されたレンズ駆動用電源が必要と判別すると、前記電源供給部の前記供給能力強化機能を動作させる、
請求項１から６のいずれか１項に記載のカメラシステム。
【請求項８】
前記供給能力強化機能は、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能である、
請求項７に記載のカメラシステム。
【請求項９】
前記レンズ側端子群を構成する複数の端子のうち前記電源端子及び前記グランド端子を除いた少なくとも一つの端子には、前記レンズ側システム電源生成部で生成されたシステム電源の電位にプルアップするプルアップ抵抗が接続され、
前記カメラ制御部は、前記プルアップ抵抗が接続された前記レンズ側端子群の端子と接続される前記カメラ側端子群の端子の極性を判別して、前記レンズ制御部へのシステム電源の供給の有無を判別する、
請求項１から８のいずれか１項に記載のカメラシステム。
【請求項１０】
前記レンズ側端子群を構成する複数の端子のうち前記電源端子、前記グランド端子及び前記プルアップ抵抗が接続された前記レンズ側端子群の端子を除いた少なくとも一つの端子には、グランドの電位にプルダウンするプルダウン抵抗が接続され、
前記カメラ制御部は、前記プルアップ抵抗が接続された前記レンズ側端子群の端子と接続される前記カメラ側端子群の端子の極性、及び、前記プルダウン抵抗が接続された前記レンズ側端子群の端子と接続される前記カメラ側端子群の端子の極性を判別して、正規の前記交換レンズが装着されたか否かを判別する、
請求項９に記載のカメラシステム。
【請求項１１】
前記カメラ側端子群及び前記レンズ側端子群は、前記グランド端子を複数備える、
請求項１から１０のいずれか１項に記載のカメラシステム。
【請求項１２】
前記カメラと前記交換レンズとの間に着脱自在に装着されるアクセサリーを更に備え、
前記アクセサリーは、
前記カメラ側マウントに着脱自在に装着されるアクセサリー側第１マウントと、
前記レンズ側マウントに着脱自在に装着されるアクセサリー側第２マウントと、
前記カメラ側端子群に対応して前記アクセサリー側第１マウントに備えられるアクセサリー側第１端子群と、
前記レンズ側端子群に対応して前記アクセサリー側第２マウントに備えられるアクセサリー側第２端子群と、
前記アクセサリー側第１端子群の複数の電源端子と前記アクセサリー側第２端子群の複数の電源端子とを接続する複数のアクセサリー側電源線と、
前記アクセサリー側第１端子群のグランド端子と前記アクセサリー側第２端子群のグランド端子とを接続する複数のアクセサリー側グランド線と、
前記アクセサリー側第１端子群の通信端子と前記アクセサリー側第２端子群の通信端子とを接続する複数のアクセサリー側通信線と、
前記光学部材駆動部よりも低い電圧で作動するアクセサリー制御部と、
複数の前記アクセサリー側電源線を介して供給される複数のレンズ駆動用電源のうち最も低い電圧のレンズ駆動用電源を使用して、前記アクセサリー制御部に供給するシステム電源を生成するアクセサリー側システム電源生成部と、
を備える請求項１から１１のいずれか１項に記載のカメラシステム。
【請求項１３】
カメラ側マウントと、複数の電源端子、グランド端子及び通信端子を含む複数の端子で構成され、前記カメラ側マウントに備えられるカメラ側端子群と、前記カメラ側端子群の複数の前記電源端子に対して、それぞれ電圧の異なるレンズ駆動用電源を供給する電源供給部と、を備えたカメラに着脱自在に装着される交換レンズであって、
前記カメラ側マウントに着脱自在に装着されるレンズ側マウントと、
前記カメラ側端子群に対応して前記レンズ側マウントに備えられるレンズ側端子群と、
前記レンズ側端子群の複数の前記電源端子から入力される複数のレンズ駆動用電源により前記交換レンズを構成する少なくとも一つの光学部材を駆動する少なくとも一つの光学部材駆動部と、
前記光学部材駆動部よりも低い電圧で作動するレンズ制御部と、
前記レンズ側端子群の複数の前記電源端子から入力される複数のレンズ駆動用電源のうち最も低い電圧のレンズ駆動用電源を使用して、前記レンズ制御部に供給するシステム電源を生成するレンズ側システム電源生成部と、
を備える交換レンズ。
【請求項１４】
前記レンズ側システム電源生成部は、抵抗による電圧降下によりシステム電源を生成する、
請求項１３に記載の交換レンズ。
【請求項１５】
前記レンズ側マウントは、回転して前記カメラ側マウントに装着され、
前記レンズ側端子群は、複数の前記電源端子と前記グランド端子とが隣接して配置され、かつ、前記レンズ側マウントを前記カメラ側マウントに装着する場合の回転方向に対して複数の前記電源端子の前側に前記グランド端子が配置され、かつ、前記レンズ側マウントを前記カメラ側マウントに装着する場合の回転方向に対して前側から電圧の低い順に前記電源端子が配置される、
請求項１３又は１４に記載の交換レンズ。
【請求項１６】
前記レンズ側マウントは、回転して前記カメラ側マウントに装着され、
前記レンズ側端子群は、レンズ検出端子を更に含み、
前記レンズ検出端子は、前記レンズ側マウントを前記カメラ側マウントに装着する場合の回転方向の先頭に配置される、
請求項１３から１５のいずれか１項に記載の交換レンズ。
【請求項１７】
前記レンズ側端子群は、前記レンズ側マウントを前記カメラ側マウントに装着する場合の回転方向に対して、前記レンズ検出端子を先頭にして複数の前記電源端子、前記グランド端子及び前記通信端子を含む他の端子の順に配置される、
請求項１６に記載の交換レンズ。
【請求項１８】
交換レンズが着脱自在に装着されるカメラであって、
前記交換レンズに備えられたレンズ側マウントが着脱自在に装着されるカメラ側マウントと、
複数の電源端子、グランド端子及び通信端子を含む複数の端子で構成され、前記カメラ側マウントに備えられるカメラ側端子群と、
前記カメラ側端子群の複数の前記電源端子に対して、それぞれ電圧の異なるレンズ駆動用電源を供給する電源供給部であって、複数のレンズ駆動用電源のうちの最も低い電圧のレンズ駆動用電源の電圧が、前記交換レンズのシステム電源の電圧よりも高い電源供給部と、
カメラ制御部と、
を備えるカメラ。
【請求項１９】
前記レンズ側マウントは、回転して前記カメラ側マウントに装着され、
前記カメラ側端子群は、複数の前記電源端子と前記グランド端子とが隣接して配置され、かつ、前記レンズ側マウントを前記カメラ側マウントに装着する場合の回転方向に対して複数の前記電源端子の前側に前記グランド端子が配置され、かつ、前記レンズ側マウントを前記カメラ側マウントに装着する場合の回転方向に対して前側から電圧の低い順に前記電源端子が配置される、
請求項１８に記載のカメラ。
【請求項２０】
前記レンズ側マウントは、回転して前記カメラ側マウントに装着され、
前記カメラ側端子群は、レンズ検出端子を更に含み、
前記レンズ検出端子は、前記レンズ側マウントを前記カメラ側マウントに装着する場合の回転方向の先頭に配置される、
請求項１８又は１９に記載のカメラ。
【請求項２１】
前記カメラ側端子群は、前記レンズ側マウントを前記カメラ側マウントに装着する場合の回転方向に対して、前記レンズ検出端子を先頭にして複数の前記電源端子、前記グランド端子及び前記通信端子を含む他の端子の順に配置される、
請求項２０に記載のカメラ。
【請求項２２】
前記電源供給部から前記カメラ側端子群の複数の前記電源端子に供給されるレンズ駆動用電源の供給を個別にオンオフするレンズ駆動用電源スイッチ部を更に備え、
前記カメラ制御部は、前記交換レンズが装着されると、前記交換レンズに備えられたレンズ制御部と通信して、前記カメラに装着された前記交換レンズのレンズ情報を前記レンズ制御部から取得し、取得したレンズ情報に基づいて、前記カメラに装着された前記交換レンズに必要なレンズ駆動用電源を判別し、かつ、判別した結果に基づいて前記レンズ駆動用電源スイッチ部を制御し、必要なレンズ駆動用電源のみ供給させる、
請求項１８から２１のいずれか１項に記載のカメラ。
【請求項２３】
前記電源供給部は、複数のレンズ駆動用電源のうちの最も高い電圧のレンズ駆動用電源の供給能力を強化させる供給能力強化機能を有し、
前記カメラ制御部は、前記交換レンズが装着されると、前記交換レンズに備えられたレンズ制御部と通信して、前記カメラに装着された前記交換レンズのレンズ情報を前記レンズ制御部から取得し、取得したレンズ情報に基づいて、供給能力が強化されたレンズ駆動用電源の要否を判別し、かつ、供給能力が強化されたレンズ駆動用電源が必要と判別すると、前記電源供給部の前記供給能力強化機能を動作させる、
請求項１８から２２のいずれか１項に記載のカメラ。
【請求項２４】
前記供給能力強化機能は、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能である、
請求項２３に記載のカメラ。
【請求項２５】
カメラと、前記カメラに着脱自在に装着される交換レンズと、を備えたレンズ交換式のカメラシステムにおいて、前記交換レンズにレンズ駆動用電源及びシステム電源を供給する電源供給方法であって、
前記カメラのカメラ側マウントに備えられた複数の電源端子と、前記交換レンズのレンズ側マウントに備えられた複数の電源端子とを接続する工程と、
複数の前記電源端子を介して、前記カメラから前記交換レンズに電圧の異なるレンズ駆動用電源を複数供給する工程と、
前記カメラから複数供給されるレンズ駆動用電源のうち最も低い電圧のレンズ駆動用電源を使用して、システム電源を生成する工程と、
を備えるカメラシステムの電源供給方法。
【請求項２６】
前記カメラに装着された前記交換レンズのレンズ情報を取得する工程と、
取得したレンズ情報に基づいて、前記カメラに装着された前記交換レンズに必要なレンズ駆動用電源を判別し、必要なレンズ駆動用電源のみ前記カメラから供給する工程と、
を更に含む請求項２５に記載のカメラシステムの電源供給方法。
【請求項２７】
前記カメラに装着された前記交換レンズのレンズ情報を取得する工程と、
取得したレンズ情報に基づいて、供給能力が強化されたレンズ駆動用電源の要否を判別する工程と、
供給能力が強化されたレンズ駆動用電源が必要と判別された場合に、複数のレンズ駆動用電源のうちの最も高い電圧のレンズ駆動用電源の供給能力を強化する工程と、
を更に含む請求項２５又は２６に記載のカメラシステムの電源供給方法。
【発明の詳細な説明】
【技術分野】
【０００１】
本発明は、レンズ交換式のカメラシステム、レンズ交換式のカメラシステムの交換レンズ、レンズ交換式のカメラシステムのカメラ、及び、レンズ交換式のカメラシステムの電源供給方法に関する。
【背景技術】
【０００２】
レンズ交換式のカメラシステムでは、カメラから交換レンズに電源を供給して、交換レンズに内蔵されたアクチュエーター、マイクロコンピューター（以下、マイコンと称する）等を動作させる。
【０００３】
しかし、個々の交換レンズに要求される電源電圧は、個々の交換レンズに内蔵されるアクチュエーターの種類、数等によって異なる。
【０００４】
特許文献１には、レンズ交換式のカメラシステムにおいて、カメラに複数の電源供給手段を設けることにより、交換レンズに対して、電圧が異なる複数種類の電源を選択的に供給できるようにすることが提案されている。
【先行技術文献】
【特許文献】
【０００５】
【特許文献１】特開2004-117380号公報
【発明の概要】
【発明が解決しようとする課題】
【０００６】
しかしながら、特許文献１のカメラシステムは、交換レンズに対して選択した一種類の電源しか供給できないため、動作電圧の異なるアクチュエーターが交換レンズに複数内蔵されている場合、アクチュエーターごとに交換レンズ内で電源を生成しなければならないという欠点がある。この結果、交換レンズの構成が複雑化するという欠点がある。特に、電源生成時にノイズが発生する場合には、その対策も施さなければならないため、より構成が複雑化するという欠点がある。
【０００７】
また、特許文献１のカメラシステムは、アクチュエーター用の電源とマイコン用の電源を別系統で供給するため、アクチュエーター用の電源端子とは別にマイコン用の電源端子を設けなければならないという欠点もある。
【０００８】
本発明は、このような事情に鑑みてなされたもので、構成を簡素化できるカメラシステム、交換レンズ、カメラ、及び、カメラシステムの電源供給方法を提供することを目的とする。
【課題を解決するための手段】
【０００９】
上記課題を解決するための手段は、次のとおりである。
【００１０】
（１）カメラと、カメラに着脱自在に装着される交換レンズと、を備えたレンズ交換式のカメラシステムであって、カメラは、カメラ側マウントと、複数の電源端子、グランド端子及び通信端子を含む複数の端子で構成され、カメラ側マウントに備えられるカメラ側端子群と、カメラ側端子群の複数の電源端子に対して、それぞれ電圧の異なるレンズ駆動用電源を供給する電源供給部と、カメラ制御部と、を備え、交換レンズは、カメラ側マウントに着脱自在に装着されるレンズ側マウントと、カメラ側端子群に対応してレンズ側マウントに備えられるレンズ側端子群と、レンズ側端子群の複数の電源端子から入力される複数のレンズ駆動用電源により交換レンズを構成する少なくとも一つの光学部材を駆動する少なくとも一つの光学部材駆動部と、光学部材駆動部よりも低い電圧で作動するレンズ制御部と、レンズ側端子群の複数の電源端子から入力される複数のレンズ駆動用電源のうち最も低い電圧のレンズ駆動用電源を使用して、レンズ制御部に供給するシステム電源を生成するレンズ側システム電源生成部と、を備えるカメラシステム。
【００１１】
本態様によれば、交換レンズをカメラに装着すると、交換レンズのレンズ側マウントに備えられたレンズ側端子群が、カメラのカメラ側マウントに備えられたカメラ側端子群に接続される。レンズ側端子群は、カメラ側端子群に対応しており、複数の電源端子、グランド端子及び通信端子を含む複数の端子で構成される。レンズ側端子群がカメラ側端子群に接続されることにより、対応する端子同士が接続される。すなわち、電源端子同士、グランド端子同士、及び、通信端子同士が接続される。電源端子は複数備えられているので、対応する電源端子同士が接続される。
【００１２】
カメラのカメラ側マウントに備えられたカメラ側端子群の複数の電源端子には、それぞれ電圧の異なるレンズ駆動用電源が供給される。これにより、交換レンズに対して電圧の異なる複数のレンズ駆動用電源を供給できる。また、これにより、動作電圧の異なる複数の光学部材駆動部が交換レンズに備えられている場合であっても、そのまま各光学部材駆動部の電源として使用できる。すなわち、交換レンズ内で駆動用の電源を生成することなく使用できる。これにより、交換レンズの構成を簡素化できる。更に、多端子化することにより、接触抵抗を低減でき、効率よく電源を供給できる。
【００１３】
また、本態様によれば、レンズ制御部用の電源であるシステム電源が、レンズ駆動用電源から生成される。これにより、レンズ制御部用の電源端子の設置を省略できる。また、システム電源を生成する際、電圧の最も低いレンズ駆動用電源を使用することにより、効率よくシステム電源を生成できる。
【００１４】
（２）レンズ側システム電源生成部は、抵抗による電圧降下によりシステム電源を生成する、上記（１）のカメラシステム。
【００１５】
本態様によれば、抵抗による電圧降下によりシステム電源が生成される。これにより、システム電源の生成に伴うノイズの発生を防止できる。この種のレンズ側システム電源生成部としては、ＬＤＯレギュレーター（ＬＤＯ：Low Dropout／低ドロップアウト）を例示できる。ＬＤＯレギュレーターは、リニアレギュレーターの一つであり、パワーＭＯＳＦＥＴ（ＭＯＳＦＥＴ：Metal-Oxide Semiconductor Field Effect Transistor／酸化金属半導体電界効果トランジスター）、パワートランジスタ等のスイッチング素子のオン抵抗を利用して、入力電力を消費することで所望の出力電圧に変換する。
【００１６】
（３）レンズ側マウントは、回転してカメラ側マウントに装着され、カメラ側端子群及びレンズ側端子群は、複数の電源端子とグランド端子とが隣接して配置され、かつ、レンズ側マウントをカメラ側マウントに装着する場合の回転方向に対して複数の電源端子の前側にグランド端子が配置され、かつ、レンズ側マウントをカメラ側マウントに装着する場合の回転方向に対して前側から電圧の低い順に電源端子が配置される、上記（１）又は（２）のカメラシステム。
【００１７】
本態様によれば、レンズ側マウントが、回転してカメラ側マウントに装着される。カメラ側マウントに備えられたカメラ側端子群及びレンズ側マウントに備えられたレンズ側端子群は、複数の電源端子とグランド端子とが隣接して配置され、かつ、レンズ側マウントをカメラ側マウントに装着する場合の回転方向に対して、複数の電源端子の前側にグランド端子が配置される。また、レンズ側マウントをカメラ側マウントに装着する場合の回転方向に対して、前側から電圧の低い順に電源端子が配置される。これにより、交換レンズをカメラから取り外す際、交換レンズ側に残存する電荷を適切に処理できる。すなわち、交換レンズをカメラから取り外すためにレンズ側マウントを回転させると、レンズ側端子群の複数の電源端子のうち最も高い電圧のレンズ駆動用電源が入力される電源端子が、カメラ側端子群のグランド端子に接続される。また、レンズ側端子群の複数の電源端子のうち２番目に高い電圧のレンズ駆動用電源が入力される電源端子が、カメラ側端子群の複数の電源端子のうち最も高い電圧のレンズ駆動用電源を出力する電源端子に接続される。このように、交換レンズをカメラから取り外す際に、交換レンズ側の各電源端子が、より高い電圧のレンズ駆動用電源を出力するカメラ側の電源端子、又は、グランド端子に接続される構造とすることにより、交換レンズに残留する電荷が、より低い電圧のレンズ駆動用電源を出力するカメラ側の電源端子等に流れるのを防止でき、カメラ側の回路等を破壊するのを適切に防止できる。
【００１８】
（４）レンズ側マウントは、回転してカメラ側マウントに装着され、カメラ側端子群及びレンズ側端子群は、それぞれレンズ検出端子を更に含み、レンズ検出端子は、レンズ側マウントをカメラ側マウントに装着する場合の回転方向の先頭に配置される、上記（１）から（３）のいずれか一のカメラシステム。
【００１９】
本態様によれば、レンズ側マウントが、回転してカメラ側マウントに装着される。また、カメラ側端子群及びレンズ側端子群を構成する端子にレンズ検出端子が含まれる。レンズ検出端子は、レンズ側マウントをカメラ側マウントに装着する場合の回転方向の先頭に配置される。これにより、交換レンズを着脱する際、カメラ側端子群のレンズ検出端子にレンズ側端子群のレンズ検出端子以外の端子が接触するのを防止できる。これにより、誤検出を防止できる。
【００２０】
（５）カメラ側端子群及びレンズ側端子群は、レンズ側マウントをカメラ側マウントに装着する場合の回転方向に対して、レンズ検出端子を先頭にして複数の電源端子、グランド端子及び通信端子を含む他の端子の順に配置される、上記（４）のカメラシステム。
【００２１】
本態様によれば、レンズ側マウントをカメラ側マウントに装着する場合の回転方向に対して、カメラ側端子群及びレンズ側端子群を構成する各端子が、レンズ検出端子を先頭にして複数の電源端子、グランド端子及び通信端子を含む他の端子の順で配置される。これにより、レンズ側端子群の複数の電源端子のセルフクリーニング効果を向上できる。また、これにより、電源端子の接触抵抗を低減でき、効率よく電源を供給できる。
【００２２】
（６）カメラは、電源供給部からカメラ側端子群の複数の電源端子に供給されるレンズ駆動用電源の供給を個別にオンオフするレンズ駆動用電源スイッチ部を更に備え、カメラ制御部は、交換レンズが装着されると、レンズ制御部と通信して、カメラに装着された交換レンズのレンズ情報をレンズ制御部から取得し、取得したレンズ情報に基づいて、カメラに装着された交換レンズに必要なレンズ駆動用電源を判別し、かつ、判別した結果に基づいてレンズ駆動用電源スイッチ部を制御し、必要なレンズ駆動用電源のみ供給させる、上記（１）から（５）のいずれか一のカメラシステム。
【００２３】
本態様によれば、レンズ駆動用電源の供給を個別にオンオフするレンズ駆動用電源スイッチ部が更に備えられる。交換レンズが装着されると、カメラに備えられたカメラ制御部が、交換レンズに備えられたレンズ制御部と通信して、カメラに装着された交換レンズのレンズ情報を取得する。通信は、通信端子を介して行われる。カメラ制御部は、取得したレンズ情報に基づいて、カメラに装着された交換レンズに必要なレンズ駆動用電源を判別する。そして、判別した結果に基づいて、レンズ駆動用電源スイッチ部を制御し、必要なレンズ駆動用電源のみ供給させる。これにより、効率よく電源を供給できる。
【００２４】
（７）電源供給部は、複数のレンズ駆動用電源のうちの最も高い電圧のレンズ駆動用電源の供給能力を強化させる供給能力強化機能を有し、カメラ制御部は、交換レンズが装着されると、レンズ制御部と通信して、カメラに装着された交換レンズのレンズ情報をレンズ制御部から取得し、取得したレンズ情報に基づいて、供給能力が強化されたレンズ駆動用電源の要否を判別し、かつ、供給能力が強化されたレンズ駆動用電源が必要と判別すると、電源供給部の供給能力強化機能を動作させる、上記（１）から（６）のいずれか一のカメラシステム。
【００２５】
本態様によれば、複数のレンズ駆動用電源のうちの最も高い電圧のレンズ駆動用電源の供給能力を強化させる機能（供給能力強化機能）が、電源供給部に備えられる。カメラ制御部は、交換レンズが装着されると、レンズ制御部と通信して、カメラに装着された交換レンズのレンズ情報をレンズ制御部から取得し、取得したレンズ情報に基づいて、供給能力が強化されたレンズ駆動用電源の要否を判別する。そして、供給能力が強化されたレンズ駆動用電源が必要と判別すると、電源供給部の供給能力強化機能を動作させる。これにより、交換レンズに必要な電源を適切に供給できる。
【００２６】
（８）供給能力強化機能は、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能である、上記（７）のカメラシステム。
【００２７】
本態様によれば、供給能力強化機能が、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能で構成される。
【００２８】
（９）レンズ側端子群を構成する複数の端子のうち電源端子及びグランド端子を除いた少なくとも一つの端子には、レンズ側システム電源生成部で生成されたシステム電源の電位にプルアップするプルアップ抵抗が接続され、カメラ制御部は、プルアップ抵抗が接続されたレンズ側端子群の端子と接続されるカメラ側端子群の端子の極性を判別して、レンズ制御部へのシステム電源の供給の有無を判別する、上記（１）から（８）のいずれか一のカメラシステム。
【００２９】
本態様によれば、レンズ側端子群を構成する複数の端子のうち電源端子及びグランド端子を除いた少なくとも一つの端子に、レンズ側システム電源生成部で生成されたシステム電源の電位にプルアップするプルアップ抵抗が接続される。カメラ制御部は、プルアップ抵抗が接続されたレンズ側端子群の端子と接続されるカメラ側端子群の端子の極性を判別して、レンズ制御部へのシステム電源の供給の有無を判別する。これにより、レンズ制御部へのシステム電源の供給をカメラ側で適切に検知できる。
【００３０】
（１０）レンズ側端子群を構成する複数の端子のうち電源端子、グランド端子及びプルアップ抵抗が接続されたレンズ側端子群の端子を除いた少なくとも一つの端子には、グランドの電位にプルダウンするプルダウン抵抗が接続され、カメラ制御部は、プルアップ抵抗が接続されたレンズ側端子群の端子と接続されるカメラ側端子群の端子の極性、及び、プルダウン抵抗が接続されたレンズ側端子群の端子と接続されるカメラ側端子群の端子の極性を判別して、正規の交換レンズが装着されたか否かを判別する、上記（９）のカメラシステム。
【００３１】
本態様によれば、レンズ側端子群を構成する複数の端子のうち電源端子、グランド端子及びプルアップ抵抗が接続されたレンズ側端子群の端子を除いた少なくとも一つの端子に、グランドの電位にプルダウンするプルダウン抵抗が接続される。カメラ制御部は、プルアップ抵抗が接続されたレンズ側端子群の端子と接続されるカメラ側端子群の端子の極性、及び、プルダウン抵抗が接続されたレンズ側端子群の端子と接続されるカメラ側端子群の端子の極性を判別して、正規の交換レンズが装着されたか否かを判別する。これにより、簡単に正規の交換レンズが装着されたか否かをカメラ側で判別できる。
【００３２】
（１１）カメラ側端子群及びレンズ側端子群は、グランド端子を複数備える、上記（１）から（１０）のいずれか一のカメラシステム。
【００３３】
本態様によれば、カメラ側端子群及びレンズ側端子群にグランド端子が複数備えられる。これにより、接触抵抗を低減でき、効率よく電源を供給できる。
【００３４】
（１２）カメラと交換レンズとの間に着脱自在に装着されるアクセサリーを更に備え、アクセサリーは、カメラ側マウントに着脱自在に装着されるアクセサリー側第１マウントと、レンズ側マウントに着脱自在に装着されるアクセサリー側第２マウントと、カメラ側端子群に対応してアクセサリー側第１マウントに備えられるアクセサリー側第１端子群と、レンズ側端子群に対応してアクセサリー側第２マウントに備えられるアクセサリー側第２端子群と、アクセサリー側第１端子群の複数の電源端子とアクセサリー側第２端子群の複数の電源端子とを接続する複数のアクセサリー側電源線と、アクセサリー側第１端子群のグランド端子とアクセサリー側第２端子群のグランド端子とを接続する複数のアクセサリー側グランド線と、アクセサリー側第１端子群の通信端子とアクセサリー側第２端子群の通信端子とを接続する複数のアクセサリー側通信線と、光学部材駆動部よりも低い電圧で作動するアクセサリー制御部と、複数のアクセサリー側電源線を介して供給される複数のレンズ駆動用電源のうち最も低い電圧のレンズ駆動用電源を使用して、アクセサリー制御部に供給するシステム電源を生成するアクセサリー側システム電源生成部と、を備える上記（１）から（１１）のいずれか一のカメラシステム。
【００３５】
本態様によれば、更にアクセサリーが備えられる。アクセサリーは、カメラと交換レンズとの間に着脱自在に装着される。アクセサリーを装着すると、アクセサリーのアクセサリー側第１マウントに備えられたアクセサリー側第１端子群が、カメラのカメラ側マウントに備えられたカメラ側端子群に接続される。また、アクセサリーのアクセサリー側第２マウントに備えられたアクセサリー側第２端子群が、交換レンズのレンズ側マウントに備えられたレンズ側端子群に接続される。アクセサリー側第１端子群は、カメラ側端子群に対応しており、複数の電源端子、グランド端子及び通信端子を含む複数の端子で構成される。また、アクセサリー側第２端子群は、レンズ側端子群に対応しており、複数の電源端子、グランド端子及び通信端子を含む複数の端子で構成される。アクセサリー側第１端子群がカメラ側端子群に接続されることにより、対応する端子同士が接続される。また、アクセサリー側第２端子群がレンズ側端子群に接続されることにより、対応する端子同士が接続される。
【００３６】
アクセサリーには、アクセサリー制御部が備えられており、そのアクセサリー制御部用のシステム電源が、レンズ駆動用電源から生成される。これにより、アクセサリー制御部用の電源端子の設置を省略できる。また、システム電源を生成する際、電圧の最も低いレンズ駆動用電源を使用することにより、効率よくシステム電源を生成できる。
【００３７】
（１３）カメラ側マウントと、複数の電源端子、グランド端子及び通信端子を含む複数の端子で構成され、カメラ側マウントに備えられるカメラ側端子群と、カメラ側端子群の複数の電源端子に対して、それぞれ電圧の異なるレンズ駆動用電源を供給する電源供給部と、を備えたカメラに着脱自在に装着される交換レンズであって、カメラ側マウントに着脱自在に装着されるレンズ側マウントと、カメラ側端子群に対応してレンズ側マウントに備えられるレンズ側端子群と、レンズ側端子群の複数の電源端子から入力される複数のレンズ駆動用電源により交換レンズを構成する少なくとも一つの光学部材を駆動する少なくとも一つの光学部材駆動部と、光学部材駆動部よりも低い電圧で作動するレンズ制御部と、レンズ側端子群の複数の電源端子から入力される複数のレンズ駆動用電源のうち最も低い電圧のレンズ駆動用電源を使用して、レンズ制御部に供給するシステム電源を生成するレンズ側システム電源生成部と、を備える交換レンズ。
【００３８】
本態様によれば、レンズ側マウントに備えられたレンズ側端子群に複数の電源端子が含まれる。これにより、電圧の異なる複数のレンズ駆動用電源をカメラ側から供給できる。また、これにより、動作電圧の異なる複数の光学部材駆動部が交換レンズに備えられている場合であっても、そのまま各光学部材駆動部の電源として使用できる。すなわち、交換レンズ内で駆動用の電源を生成することなく使用できる。また、本態様によれば、レンズ制御部用の電源であるシステム電源が、レンズ駆動用電源から生成される。これにより、レンズ制御部用の電源端子の設置を省略できる。また、システム電源を生成する際、電圧の最も低いレンズ駆動用電源を使用することにより、効率よくシステム電源を生成できる。
【００３９】
（１４）レンズ側システム電源生成部は、抵抗による電圧降下によりシステム電源を生成する、上記（１３）の交換レンズ。
【００４０】
本態様によれば、抵抗による電圧降下によりシステム電源が生成される。これにより、システム電源の生成に伴うノイズの発生を防止できる。
【００４１】
（１５）レンズ側マウントは、回転してカメラ側マウントに装着され、レンズ側端子群は、複数の電源端子とグランド端子とが隣接して配置され、かつ、レンズ側マウントをカメラ側マウントに装着する場合の回転方向に対して複数の電源端子の前側にグランド端子が配置され、かつ、レンズ側マウントをカメラ側マウントに装着する場合の回転方向に対して前側から電圧の低い順に電源端子が配置される、上記（１３）又は（１４）の交換レンズ。
【００４２】
本態様によれば、レンズ側マウントが、回転してカメラ側マウントに装着される。カメラ側マウントに備えられたカメラ側端子群及びレンズ側マウントに備えられたレンズ側端子群は、複数の電源端子とグランド端子とが隣接して配置され、かつ、レンズ側マウントをカメラ側マウントに装着する場合の回転方向に対して、複数の電源端子の前側にグランド端子が配置される。また、レンズ側マウントをカメラ側マウントに装着する場合の回転方向に対して、前側から電圧の低い順に電源端子が配置される。これにより、交換レンズをカメラから取り外す際、交換レンズ側に残存する電荷を適切に処理できる。
【００４３】
（１６）レンズ側マウントは、回転してカメラ側マウントに装着され、レンズ側端子群は、レンズ検出端子を更に含み、レンズ検出端子は、レンズ側マウントをカメラ側マウントに装着する場合の回転方向の先頭に配置される、上記（１３）から（１５）のいずれか一の交換レンズ。
【００４４】
本態様によれば、レンズ側マウントが、回転してカメラ側マウントに装着される。また、レンズ側端子群を構成する端子にレンズ検出端子が含まれる。レンズ検出端子は、レンズ側マウントをカメラ側マウントに装着する場合の回転方向の先頭に配置される。これにより、交換レンズを着脱する際、カメラ側端子群のレンズ検出端子にレンズ側端子群のレンズ検出端子以外の端子が接触するのを防止できる。これにより、誤検出を防止できる。
【００４５】
（１７）レンズ側端子群は、レンズ側マウントをカメラ側マウントに装着する場合の回転方向に対して、レンズ検出端子を先頭にして複数の電源端子、グランド端子及び通信端子を含む他の端子の順に配置される、上記（１６）の交換レンズ。
【００４６】
本態様によれば、レンズ側マウントをカメラ側マウントに装着する場合の回転方向に対して、レンズ側端子群を構成する各端子が、レンズ検出端子を先頭にして複数の電源端子、グランド端子及び通信端子を含む他の端子の順で配置される。これにより、レンズ側端子群の複数の電源端子のセルフクリーニング効果を向上できる。また、これにより、電源端子の接触抵抗を低減でき、効率よく電源を供給できる。
【００４７】
（１８）交換レンズが着脱自在に装着されるカメラであって、交換レンズに備えられたレンズ側マウントが着脱自在に装着されるカメラ側マウントと、複数の電源端子、グランド端子及び通信端子を含む複数の端子で構成され、カメラ側マウントに備えられるカメラ側端子群と、カメラ側端子群の複数の電源端子に対して、それぞれ電圧の異なるレンズ駆動用電源を供給する電源供給部であって、複数のレンズ駆動用電源のうちの最も低い電圧のレンズ駆動用電源の電圧が、交換レンズのシステム電源の電圧よりも高い電源供給部と、カメラ制御部と、を備えるカメラ。
【００４８】
本態様によれば、カメラ側マウントに備えられたカメラ側端子群に複数の電源端子が含まれ、各電源端子に電圧の異なるレンズ駆動用電源が供給される。これにより、電圧の異なる複数のレンズ駆動用電源を交換レンズに供給できる。また、これにより、動作電圧の異なる複数の光学部材駆動部が交換レンズに備えられている場合であっても、そのまま各光学部材駆動部の電源として使用できる。
【００４９】
（１９）レンズ側マウントは、回転してカメラ側マウントに装着され、カメラ側端子群は、複数の電源端子とグランド端子とが隣接して配置され、かつ、レンズ側マウントをカメラ側マウントに装着する場合の回転方向に対して複数の電源端子の前側にグランド端子が配置され、かつ、レンズ側マウントをカメラ側マウントに装着する場合の回転方向に対して前側から電圧の低い順に電源端子が配置される、上記（１８）のカメラ。
【００５０】
（２０）レンズ側マウントは、回転してカメラ側マウントに装着され、カメラ側端子群は、レンズ検出端子を更に含み、レンズ検出端子は、レンズ側マウントをカメラ側マウントに装着する場合の回転方向の先頭に配置される、上記（１８）又は（１９）のカメラ。
【００５１】
本態様によれば、レンズ側マウントが、回転してカメラ側マウントに装着される。また、カメラ側端子群を構成する端子にレンズ検出端子が含まれる。レンズ検出端子は、レンズ側マウントをカメラ側マウントに装着する場合の回転方向の先頭に配置される。これにより、交換レンズを着脱する際、カメラ側端子群のレンズ検出端子にレンズ側端子群のレンズ検出端子以外の端子が接触するのを防止できる。これにより、誤検出を防止できる。
【００５２】
（２１）カメラ側端子群は、レンズ側マウントをカメラ側マウントに装着する場合の回転方向に対して、レンズ検出端子を先頭にして複数の電源端子、グランド端子及び通信端子を含む他の端子の順に配置される、上記（２０）のカメラ。
【００５３】
本態様によれば、レンズ側マウントをカメラ側マウントに装着する場合の回転方向に対して、カメラ側端子群を構成する各端子が、レンズ検出端子を先頭にして複数の電源端子、グランド端子及び通信端子を含む他の端子の順で配置される。これにより、レンズ側端子群の複数の電源端子のセルフクリーニング効果を向上できる。また、これにより、電源端子の接触抵抗を低減でき、効率よく電源を供給できる。
【００５４】
（２２）電源供給部からカメラ側端子群の複数の電源端子に供給されるレンズ駆動用電源の供給を個別にオンオフするレンズ駆動用電源スイッチ部を更に備え、カメラ制御部は、交換レンズが装着されると、交換レンズに備えられたレンズ制御部と通信して、カメラに装着された交換レンズのレンズ情報をレンズ制御部から取得し、取得したレンズ情報に基づいて、カメラに装着された交換レンズに必要なレンズ駆動用電源を判別し、かつ、判別した結果に基づいてレンズ駆動用電源スイッチ部を制御し、必要なレンズ駆動用電源のみ供給させる、上記（１８）から（２１）のいずれか一のカメラ。
【００５５】
本態様によれば、交換レンズが装着されると、カメラに備えられたカメラ制御部が、交換レンズに備えられたレンズ制御部と通信して、カメラに装着された交換レンズのレンズ情報を取得する。通信は、通信端子を介して行われる。カメラ制御部は、取得したレンズ情報に基づいて、カメラに装着された交換レンズに必要なレンズ駆動用電源を判別する。そして、判別した結果に基づいて、レンズ駆動用電源スイッチ部を制御し、必要なレンズ駆動用電源のみ供給させる。これにより、効率よく電源を供給できる。
【００５６】
（２３）電源供給部は、複数のレンズ駆動用電源のうちの最も高い電圧のレンズ駆動用電源の供給能力を強化させる供給能力強化機能を有し、カメラ制御部は、交換レンズが装着されると、交換レンズに備えられたレンズ制御部と通信して、カメラに装着された交換レンズのレンズ情報をレンズ制御部から取得し、取得したレンズ情報に基づいて、供給能力が強化されたレンズ駆動用電源の要否を判別し、かつ、供給能力が強化されたレンズ駆動用電源が必要と判別すると、電源供給部の供給能力強化機能を動作させる、上記（１８）から（２２）のいずれか一のカメラ。
【００５７】
本態様によれば、複数のレンズ駆動用電源のうちの最も高い電圧のレンズ駆動用電源の供給能力を強化させる機能（供給能力強化機能）が、電源供給部に備えられる。カメラ制御部は、交換レンズが装着されると、レンズ制御部と通信して、カメラに装着された交換レンズのレンズ情報をレンズ制御部から取得し、取得したレンズ情報に基づいて、供給能力が強化されたレンズ駆動用電源の要否を判別する。そして、供給能力が強化されたレンズ駆動用電源が必要と判別すると、電源供給部の供給能力強化機能を動作させる。これにより、交換レンズに必要な電源を適切に供給できる。
【００５８】
（２４）供給能力強化機能は、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能である、上記（２３）のカメラ。
【００５９】
本態様によれば、供給能力強化機能が、複数のレンズ駆動用電源のうちの最も高い電圧のレンズ駆動用電源の電圧を高くする機能、又は、複数のレンズ駆動用電源のうちの最も高い電圧のレンズ駆動用電源の電流量を大きくする機能で構成される。
【００６０】
（２５）カメラと、カメラに着脱自在に装着される交換レンズと、を備えたレンズ交換式のカメラシステムにおいて、交換レンズにレンズ駆動用電源及びシステム電源を供給する電源供給方法であって、カメラのカメラ側マウントに備えられた複数の電源端子と、交換レンズのレンズ側マウントに備えられた複数の電源端子とを接続する工程と、複数の電源端子を介して、カメラから交換レンズに電圧の異なるレンズ駆動用電源を複数供給する工程と、カメラから複数供給されるレンズ駆動用電源のうち最も低い電圧のレンズ駆動用電源を使用して、システム電源を生成する工程と、を備えるカメラシステムの電源供給方法。
【００６１】
本態様によれば、複数の電源端子を介して、カメラから交換レンズに電圧の異なるレンズ駆動用電源を複数供給される。そして、供給された複数のレンズ駆動用電源のうち最も低い電圧のレンズ駆動用電源を使用して、システム電源が生成される。
【００６２】
（２６）カメラに装着された交換レンズのレンズ情報を取得する工程と、取得したレンズ情報に基づいて、カメラに装着された交換レンズに必要なレンズ駆動用電源を判別し、必要なレンズ駆動用電源のみカメラから供給する工程と、を更に含む上記（２５）のカメラシステムの電源供給方法。
【００６３】
本態様によれば、交換レンズからレンズ情報が取得される。そして、取得されたレンズ情報に基づいて、必要なレンズ駆動用電源が判別され、必要なレンズ駆動用電源のみがカメラから供給される。
【００６４】
（２７）カメラに装着された交換レンズのレンズ情報を取得する工程と、取得したレンズ情報に基づいて、供給能力が強化されたレンズ駆動用電源の要否を判別する工程と、供給能力が強化されたレンズ駆動用電源が必要と判別された場合に、複数のレンズ駆動用電源のうちの最も高い電圧のレンズ駆動用電源の供給能力を強化する工程と、を更に含む上記（２５）又は（２６）のカメラシステムの電源供給方法。
【００６５】
本態様によれば、交換レンズからレンズ情報が取得される。そして、取得されたレンズ情報に基づいて、供給能力が強化されたレンズ駆動用電源の要否が判別される。供給能力が強化されたレンズ駆動用電源が必要と判別された場合は、複数のレンズ駆動用電源のうちの最も高い電圧のレンズ駆動用電源の供給能力が強化されて、交換レンズに供給される。
【発明の効果】
【００６６】
本発明によれば、構成を簡素化できる。
【図面の簡単な説明】
【００６７】
【図１】レンズ交換式のカメラシステムの一例を示すシステム構成図
【図２】カメラの正面図
【図３】交換レンズの背面図
【図４】カメラの電気的構成を示すブロック図
【図５】電源部の電気的構成を示すブロック図
【図６】カメラマイコンが実現する機能の一例を示すブロック図
【図７】交換レンズの電気的構成を示すブロック図
【図８】レンズマイコンが実現する機能の一例を示すブロック図
【図９】カメラと交換レンズとの電気的な接続を示す図
【図１０】レンズ交換式のカメラシステムの第２の実施の形態のシステム構成図
【図１１】アクセサリーの電気的な構成を示す図
【図１２】アクセサリーマイコンが実現する機能の一例を示すブロック図
【図１３】カメラと交換レンズとの間にアクセサリーを装着した場合の相互の電気的な接続を示す図
【発明を実施するための形態】
【００６８】
以下、添付図面に従って本発明を実施するための好ましい形態について詳説する。
【００６９】
◆◆第１の実施の形態◆◆
［カメラシステムの構成］
レンズ交換式のカメラシステムは、少なくとも一つのカメラと、少なくとも一つの交換レンズと、を備えて構成される。
【００７０】
図１は、レンズ交換式のカメラシステムの一例を示すシステム構成図である。
【００７１】
同図に示すカメラシステム１は、一つのカメラ１０と、複数の交換レンズ１００とで構成される。
【００７２】
カメラ１０は、デジタルカメラで構成される。特に、本実施の形態のカメラ１０は、ノンレフレックス型のデジタルカメラで構成される。ノンレフレックス型のデジタルカメラとは、レンズからの入射光を光学式ファインダーに導くためのレフレックスミラーのないデジタルカメラのことである。ノンレフレックス型のデジタルカメラは、ミラーレスデジタルカメラとも称される。
【００７３】
複数の交換レンズ１００は、それぞれ共通のレンズ側マウント１０４を備える。各交換レンズ１００は、それぞれ異なる焦点距離を有する。
【００７４】
《カメラ》
図２は、カメラの正面図である。
【００７５】
カメラ１０は、そのカメラボディー１２の正面部分にカメラ側マウント１４を備える。カメラ側マウント１４は、交換レンズ１００の装着部である。カメラ側マウント１４は、公知のバヨネット式のマウントで構成される。なお、図２において、矢印Ｒで示す方向（時計回りの方向）が、カメラ１０に交換レンズ１００を装着する場合の交換レンズ１００の回転方向である。
【００７６】
カメラ側マウント１４には、複数の端子ＣＣ１〜ＣＣ１２で構成されるカメラ側端子群ＣＣＧが備えられる。カメラ側端子群ＣＣＧを構成する複数の端子ＣＣ１〜ＣＣ１２は、撮影光軸を中心とする一つの円の円周上に一定の間隔をもって配置される。各端子ＣＣ１〜ＣＣ１２が有する機能については後述する。
【００７７】
なお、図２において、符号１６はイメージセンサー、符号１８はシャッターである。シャッター１８は、スクエア型のフォーカルプレーンシャッターで構成され、イメージセンサー１６の直前に配置される。なお、図２はシャッター１８が全開した状態が示されている。
【００７８】
《交換レンズ》
図３は、交換レンズの背面図であり、交換レンズをマウント側から見た図である。
【００７９】
交換レンズ１００は、そのレンズ鏡胴１０２の基端部にレンズ側マウント１０４を備える。レンズ側マウント１０４は、カメラ１０に備えられたカメラ側マウント１４に対応したバヨネット式のマウントで構成される。なお、図３において、矢印Ｒで示す方向（反時計回りの方向）が、カメラ１０に交換レンズ１００を装着する場合の交換レンズ１００の回転方向（カメラ側マウント１４にレンズ側マウント１０４を装着する場合のレンズ側マウント１０４の回転方向と同義）である。
【００８０】
レンズ側マウント１０４には、複数の端子ＬＣ１〜ＬＣ１２で構成されるレンズ側端子群ＬＣＧが備えられる。レンズ側端子群ＬＣＧは、カメラ側端子群ＣＣＧに対応して設けられる。したがって、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【００８１】
交換レンズ１００をカメラ１０に装着すると、レンズ側端子群ＬＣＧの各端子ＬＣ１〜ＬＣ１２が、カメラ側端子群ＣＣＧの対応する端子ＣＣ１〜ＣＣ１２に接続される。すなわち、レンズ側端子群ＬＣＧの第１の端子ＬＣ１がカメラ側端子群ＣＣＧの第１の端子ＣＣ１に接続され、レンズ側端子群ＬＣＧの第２の端子ＬＣ２がカメラ側端子群ＣＣＧの第２の端子ＣＣ２に接続され、…、レンズ側端子群ＬＣＧの第１２の端子ＬＣ１２がカメラ側端子群ＣＣＧの第１２の端子ＣＣ１２に接続される。
【００８２】
レンズ側端子群ＬＣＧを構成する各端子ＬＣ１〜ＬＣ１２の機能については後述する。
【００８３】
《カメラの電気的構成》
図４は、カメラの電気的構成を示すブロック図である。
【００８４】
同図に示すように、カメラ１０は、イメージセンサー１６、シャッター１８、イメージセンサー駆動部２０、シャッター駆動部２２、アナログ信号処理部２４、表示部２６、画像データ記憶部２８、カメラ操作部３０、電源部３２、及び、カメラマイコン３４を備える。
【００８５】
〈イメージセンサー〉
イメージセンサー１６は、交換レンズを介して結像した被写体の光学像を電気信号に変換して出力する。イメージセンサー１６には、ＣＣＤイメージセンサー（ＣＣＤ：Charged Coupled Device／電荷結合素子）、ＣＭＯＳイメージセンサー（ＣＭＯＳ：Complementary Metal Oxide Semiconductor／相補型金属酸化膜半導体）等の公知のイメージセンサーが使用される。
【００８６】
〈イメージセンサー駆動部〉
イメージセンサー駆動部２０は、イメージセンサー１６の駆動回路で構成される。イメージセンサー駆動部２０は、カメラマイコン３４からの指示に応じて、イメージセンサー１６を駆動する。
【００８７】
〈シャッター〉
シャッター１８は、イメージセンサー１６への露光時間を調整する光路開閉装置である。上記のように、シャッター１８は、スクエア型のフォーカルプレーンシャッターで構成され、イメージセンサー１６の直前に配置される。
【００８８】
〈シャッター駆動部〉
シャッター駆動部２２は、シャッター１８に備えられるチャージモーター、電磁石等を駆動する駆動回路で構成される。シャッター駆動部２２は、カメラマイコン３４からの指示に応じてチャージモーター、電磁石等を駆動する。
【００８９】
〈アナログ信号処理部〉
アナログ信号処理部２４は、イメージセンサー１６から出力されたアナログの画像信号を取り込み、所定の信号処理（たとえば、相関二重サンプリング処理、増幅処理等）を施した後、デジタルの画像信号に変換して出力する。
【００９０】
〈表示部〉
表示部２６は、モニター、及び、その駆動回路で構成される。モニターは、たとえば、ＬＣＤ（ＬＣＤ：Liquid Crystal Display／液晶ディスプレー）で構成され、カメラボディーの背面に備えられる。
【００９１】
〈画像データ記憶部〉
画像データ記憶部２８は、撮影した画像データの記憶部である。画像データ記憶部２８は、メモリーカードと、そのメモリーカードを装着するソケットとを備える。メモリーカードに対する画像データの読み出し、及び、書き込みは、カメラマイコン３４によって制御される。
【００９２】
〈カメラ操作部〉
カメラ操作部３０は、カメラ１０の操作部であり、各種操作ボタン類と、その操作ボタン類の操作を検出して、カメラマイコン３４に操作信号を出力する回路と、で構成される。カメラ１０に備えられる操作ボタン類には、電源ボタン、レリーズボタン等が含まれる。
【００９３】
〈電源部〉
電源部３２は、カメラマイコン３４による制御の下、カメラ１０及び交換レンズ１００の動作に必要な電源を生成し、供給する。
【００９４】
図５は、電源部の電気的構成を示すブロック図である。
【００９５】
同図に示すように、電源部３２は、バッテリー４０、電源供給部４２、及び、レンズ駆動用電源スイッチ部４４を備える。
【００９６】
バッテリー４０は、カメラ１０及び交換レンズ１００の電源である。バッテリー４０は、カメラボディーに備えられた図示しないバッテリー室に着脱自在に装填される。
【００９７】
電源供給部４２は、カメラマイコン３４による制御の下、バッテリー４０からカメラ１０及び交換レンズ１００の動作に必要な各種電源を生成し、各部に供給する。電源供給部４２は、たとえば、ＤＣ−ＤＣコンバーター（ＤＣ：Direct Current／直流）で構成される。
【００９８】
本実施の形態のカメラ１０では、交換レンズ１００に供給する電源として、それぞれ電圧の異なる複数のレンズ駆動用電源を生成する。本実施の形態のカメラ１０では、電圧が＋５Ｖの第１のレンズ駆動用電源ＬＶ１と、電圧が＋６．５Ｖの第２のレンズ駆動用電源ＬＶ２と、電圧が＋１０Ｖの第３のレンズ駆動用電源ＬＶ３を生成する。
【００９９】
後述するように、最も低い電圧の第１のレンズ駆動用電源ＬＶ１は、カメラ側端子群ＣＣＧの第２の端子ＣＣ２に供給される。第２のレンズ駆動用電源ＬＶ２は、カメラ側端子群ＣＣＧの第３の端子ＣＣ３に供給される。最も高い電圧の第３のレンズ駆動用電源ＬＶ３は、カメラ側端子群ＣＣＧの第４の端子ＣＣ４に供給される。
【０１００】
レンズ駆動用電源スイッチ部４４は、カメラマイコン３４からの指示に応じて、電源供給部４２から供給される複数のレンズ駆動用電源ＬＶ１、ＬＶ２、ＬＶ３の供給を個別にオンオフする。これにより、電源供給部４２からカメラ側端子群ＣＣＧの複数の端子ＣＣ２、ＣＣ３、ＣＣ４に供給されるレンズ駆動用電源ＬＶ１、ＬＶ２、ＬＶ３の供給を個別にオンオフできる。
【０１０１】
〈カメラマイコン〉
カメラマイコン３４は、カメラ制御部の一例である。カメラマイコン３４は、カメラ１０の動作を統括制御する。カメラマイコン３４は、ＣＰＵ（ＣＰＵ：Central Processing Unit／中央処理装置）、ＲＯＭ（ＲＯＭ：Read Only Memory／読み込み専用のメモリー）、及び、ＲＡＭ（ＲＡＭ：Random Access Memory／データの書込みと読出しが可能なメモリー）を備え、規定のプログラムを実行することにより各種機能を提供する。ＲＯＭには、ＣＰＵが実行する各種プログラムの他、制御に必要な各種データ等が格納される。
【０１０２】
図６は、カメラマイコンが実現する機能の一例を示すブロック図である。
【０１０３】
同図に示すように、カメラマイコン３４は、規定のプログラムを実行することにより、デジタル信号処理部５０、表示制御部５２、記録制御部５４、電源制御部５６、レンズ駆動用電源スイッチ制御部５８、レンズ装着検出部６０、カメラ通信部６２等として機能する。
【０１０４】
デジタル信号処理部５０は、アナログ信号処理部２４から出力されたデジタルの画像信号を取り込み、所定の信号処理を施して画像データを生成する。
【０１０５】
表示制御部５２は、表示部２６に備えられたモニターに対して、所定の情報を表示させる。たとえば、再生モードに設定された場合にメモリーカードから読み出した画像をモニターに表示させる。また、撮影モードに設定された場合にイメージセンサー１６で捉えた画像をリアルタイムに表示させる。更に、各種設定を行う際に設定画面をモニターに表示させる。
【０１０６】
記録制御部５４は、画像データ記憶部２８のソケットに装着されたメモリーカードに対して、画像データの読み書きを行う。
【０１０７】
電源制御部５６は、電源供給部４２を制御して、各部への電源の供給を制御する。
【０１０８】
レンズ駆動用電源スイッチ制御部５８は、レンズ駆動用電源スイッチ部４４を制御して、レンズ駆動用電源の供給を制御する。具体的には、電源供給部４２からカメラ側端子群ＣＣＧの複数の電源端子（第２の端子ＣＣ２、第３の端子ＣＣ３及び第４の端子ＣＣ４）に供給されるレンズ駆動用電源ＬＶ１、ＬＶ２、ＬＶ３の供給を個別にオンオフして、レンズ駆動用電源の供給を制御する。これにより、選択的にレンズ駆動用電源を供給できる。
【０１０９】
レンズ装着検出部６０は、交換レンズ１００の装着を検出する。レンズ装着検出部６０は、カメラマイコン入出力ポート６４に備えられたレンズ検出用ポートＣＰ０の極性を検出して、交換レンズ１００の装着の有無を判定する。
【０１１０】
カメラ通信部６２は、カメラ１０に装着された交換レンズ１００と通信する。通信は、カメラマイコン入出力ポート６４を介して行われる。カメラマイコン入出力ポート６４には、交換レンズ１００と通信するための複数の通信用ポートＣＰ１〜ＣＰ７が備えられる。
【０１１１】
ここで、第１の通信用ポートＣＰ１は、交換レンズ１００からカメラ１０に状態を通知するための通信用ポートである。特に、本実施の形態のカメラシステム１では、交換レンズ１００の特定の機能が動作期間中であることを通知するために第１の通信用ポートＣＰ１が使用される。
【０１１２】
第２の通信用ポートＣＰ２は、カメラ１０から交換レンズ１００にＶＳＹＮＣ信号（ＶＳＹＮＣ：Vertical SYNChronizing／垂直同期信号）を送信するための通信用ポートである。
【０１１３】
第３の通信用ポートＣＰ３、第４の通信用ポートＣＰ４及び第５の通信用ポートＣＰ５は、交換レンズ１００との間でシリアル通信（３線式のシリアル通信）するための通信用ポートである。すなわち、３線による同期式シリアル通信インターフェースであるＳＰＩ（ＳＰＩ：Serial Peripheral Interface）を構成する通信用ポートである。
【０１１４】
第３の通信用ポートＣＰ３は、ＳＰＩマスターとしてのカメラ１０からＳＰＩスレーブとしての交換レンズ１００に信号を送信するための通信用ポート（ＭＯＳＩポート（ＭＯＳＩ：Master Out Slave In））である。
【０１１５】
また、第４の通信用ポートＣＰ４は、ＳＰＩマスターとしてのカメラ１０からＳＰＩスレーブとしての交換レンズ１００に同期用のクロック信号を送信するための通信用ポート（ＳＣＫポート（ＳＣＫ：Serial ClocK））である。
【０１１６】
また、第５の通信用ポートＣＰ５は、ＳＰＩスレーブとしての交換レンズ１００からＳＰＩマスターとしてのカメラ１０に信号を送信するための通信用ポート（ＭＩＳＯポート（ＭＩＳＯ：Master In Slave Out））である。
【０１１７】
第６の通信用ポートＣＰ６も、交換レンズ１００との間でシリアル通信（単線式のシリアル通信）するための通信用ポートである。特に、本実施の形態のカメラシステム１では、第６の通信用ポートＣＰ６が、ＲＸＤポート（ＲＸＤ：Received eXchange Data／データ受信）として機能し、交換レンズ１００から送信された信号の受信するための通信用ポートとして使用される。
【０１１８】
第７の通信用ポートＣＰ７は、交換レンズ１００からカメラ１０に状態を通知するための通信用ポートである。
【０１１９】
交換レンズ１００との間の通信、及び、マウントを介した交換レンズ１００との間の電気的な接続については、後に詳述する。
【０１２０】
《交換レンズの電気的構成》
図７は、交換レンズの電気的構成を示すブロック図である。同図は、ＡＦ機構（ＡＦ：Auto Focus／オートフォーカス）、手ブレ補正機構及び絞りを備えた交換レンズの電気的構成を示している。なお、各交換レンズ１００は、少なくともＡＦ機構及び絞りを備えるが、手ブレ補正機構については備えていない交換レンズも存在する。
【０１２１】
同図に示すように、交換レンズ１００は、レンズ駆動部１１０と、レンズ側システム電源生成部１１２と、レンズマイコン１１４と、を備える。
【０１２２】
〈レンズ駆動部〉
レンズ駆動部１１０は、レンズマイコン１１４からの指示に応じて、交換レンズ１００を構成する光学部材を駆動する。
【０１２３】
上記のように、図７に示す交換レンズ１００は、ＡＦ機能、手ブレ補正機能及び絞りを備えている。このため、本例の交換レンズ１００には、レンズ駆動部１１０として、フォーカス駆動部１１０Ａと、手ブレ補正機構駆動部１１０Ｂと、絞り駆動部１１０Ｃと、が備えられる。
【０１２４】
フォーカス駆動部１１０Ａは、光学部材駆動部の一例であり、フォーカシング用の光学部材であるフォーカスレンズ１０６Ａを駆動する。フォーカス駆動部１１０Ａは、フォーカスレンズを駆動するためのフォーカス用モーター（たとえば、超音波モーター）、及び、その駆動回路を備えて構成される。フォーカス駆動部１１０Ａは、レンズマイコン１１４からの指示に応じてフォーカス用モーターを駆動し、フォーカスレンズ１０６Ａを動作させる。
【０１２５】
手ブレ補正機構駆動部１１０Ｂは、光学部材駆動部の一例であり、手ブレ補正用の光学部材である手ブレ補正用レンズ１０６Ｂを駆動する。手ブレ補正機構駆動部１１０Ｂは、手ブレ補正レンズを駆動する手ブレ補正用モーター（たとえば、ボイスコイルモーター）、及び、その駆動回路を備えて構成される。手ブレ補正機構駆動部１１０Ｂは、レンズマイコン１１４からの指示に応じて手ブレ補正用モーターを駆動し、手ブレ補正用レンズ１０６Ｂを動作させる。
【０１２６】
絞り駆動部１１０Ｃは、光学部材駆動部の一例であり、光量調整用の光学部材である絞りを駆動する。絞り駆動部１１０Ｃは、絞り１０６Ｃを駆動するための絞り用モーター、及び、その駆動回路を備えて構成される。絞り駆動部１１０Ｃは、レンズマイコン１１４からの指示に応じて絞り用モーターを駆動し、絞り１０６Ｃを動作させる。
【０１２７】
後述するように、レンズ駆動部１１０には、レンズ側端子群ＬＣＧの複数の端子ＬＣ２〜ＬＣ４（電源端子）から電圧の異なる複数のレンズ駆動用電源ＬＶ１（＋５Ｖ）、ＬＶ２（＋６．５Ｖ）、ＬＶ３（＋１０Ｖ）が供給される。レンズ駆動部１１０の各駆動部には、この複数供給されるレンズ駆動用電源ＬＶ１、ＬＶ２、ＬＶ３のいずれかが供給される。たとえば、フォーカス駆動部１１０Ａには、最も高い電圧の第３のレンズ駆動用電源ＬＶ３が供給され、絞り駆動部１１０Ｃには、最も低い電圧の第１のレンズ駆動用電源ＬＶ１が供給される。また、手ブレ補正機構駆動部１１０Ｂには、中間の電圧の第２のレンズ駆動用電源ＬＶ２が供給される。
【０１２８】
〈レンズ側システム電源生成部〉
レンズ側システム電源生成部１１２は、レンズマイコン１１４を動作させるためのシステム電源を生成する。レンズ側システム電源生成部１１２は、カメラ１０から供給されるレンズ駆動用電源を使用して、システム電源を生成する。
【０１２９】
ここで、レンズマイコン１１４は、レンズ駆動部１１０を構成する各駆動部よりも低い電圧で作動する構成とされる。たとえば、＋３．３Ｖで作動する構成とされる。
【０１３０】
レンズ側システム電源生成部１１２は、カメラ１０から供給される複数のレンズ駆動用電源ＬＶ１〜ＬＶ３のうち最も低い電圧のレンズ駆動用電源ＬＶ１（＋５Ｖ）を使用してシステム電源（＋３．３Ｖ）を生成し、レンズマイコン１１４に供給する。この際、レンズ側システム電源生成部１１２は、抵抗による電圧降下によりシステム電源を生成する。これにより、システム電源の生成に伴うノイズの発生を防止できる。
【０１３１】
このように抵抗による電圧降下によりシステム電源を生成する装置としては、ＬＤＯレギュレーターを例示できる。ＬＤＯレギュレーターは、リニアレギュレーターの一つであり、パワーＭＯＳＦＥＴ、パワートランジスタ等のスイッチング素子のオン抵抗を利用して、入力電力を消費することにより所望の出力電圧に変換する。
【０１３２】
〈レンズマイコン〉
レンズマイコン１１４は、レンズ制御部の一例である。レンズマイコン１１４は、カメラマイコン３４からの指示に基づいて、交換レンズ１００の動作を制御する。
【０１３３】
レンズマイコン１１４は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０１３４】
図８は、レンズマイコンが実現する機能の一例を示すブロック図である。
【０１３５】
同図に示すように、レンズマイコン１１４は、規定のプログラムを実行することにより、フォーカス駆動制御部１２０、手ブレ補正機構駆動制御部１２２、絞り駆動制御部１２４、及び、レンズ通信部１２６等として機能する。
【０１３６】
フォーカス駆動制御部１２０は、カメラマイコン３４からの指示に応じて、フォーカス駆動部１１０Ａを制御し、フォーカスレンズ１０６Ａを動作させる。
【０１３７】
手ブレ補正機構駆動制御部１２２は、カメラマイコン３４からの指示に応じて、手ブレ補正機構駆動部１１０Ｂを制御し、手ブレ補正用レンズ１０６Ｂを動作させる。
【０１３８】
絞り駆動制御部１２４は、カメラマイコン３４からの指示に応じて、絞り駆動部１１０Ｃを制御し、絞り１０６Ｃを動作させる。
【０１３９】
レンズ通信部１２６は、交換レンズ１００が装着されたカメラ１０と通信する。通信は、レンズマイコン入出力ポート１２８を介して行われる。レンズマイコン入出力ポート１２８には、交換レンズ１００と通信するための複数の通信用ポートＬＰ１〜ＬＰ７が備えられる。この通信用ポートＬＰ１〜ＬＰ７は、カメラマイコン３４のカメラマイコン入出力ポート６４に備えられた複数の通信用ポートＣＰ１〜ＣＰ７に対応して設けられる。
【０１４０】
したがって、第１の通信用ポートＬＰ１は、カメラ１０の状態の通知に使用され、第２の通信用ポートＬＰ２は、カメラ１０から送信されるＶＳＹＮＣ信号の受信に使用される。
【０１４１】
また、第３の通信用ポートＬＰ３、第４の通信用ポートＬＰ４及び第５の通信用ポートＬＰ５は、カメラ１０との間のシリアル通信（３線式のシリアル通信）に使用される。
【０１４２】
また、第６の通信用ポートＬＰ６は、カメラとの間のシリアル通信（単線式のシリアル通信）に使用され、ＴＸＤポート（ＴＸＤ：Transmit eXchange Data／データ送信）として使用される。すなわち、カメラ１０に信号を送信するための通信用ポートとして使用される。
【０１４３】
また、第７の通信用ポートＬＰ７は、カメラ１０への状態の通知に使用される。
【０１４４】
カメラ１０との間の通信、及び、マウントを介したカメラ１０との間の電気的な接続については、後に詳述する。
【０１４５】
《カメラと交換レンズと電気的な接続》
図９は、カメラと交換レンズとの電気的な接続を示す図である。
【０１４６】
同図に示すように、カメラ１０及び交換レンズ１００は、カメラ側マウント１４に備えられたカメラ側端子群ＣＣＧと、レンズ側マウント１０４に備えられたレンズ側端子群ＬＣＧを介して電気的に接続される。
【０１４７】
なお、図９において、矢印Ｒで示す方向が、カメラ１０に交換レンズ１００を装着する場合の交換レンズ１００の回転方向である。したがって、カメラ１０に交換レンズ１００を装着する場合、カメラ側端子群ＣＣＧに対して、レンズ側端子群ＬＣＧは、図９中の矢印Ｒで示す方向に移動する。
【０１４８】
〈カメラ側端子群〉
カメラ側端子群ＣＣＧは、１２個の端子ＣＣ１〜ＣＣ１２で構成される。各端子ＣＣ１〜ＣＣ１２は、同一形状を有し、同一の円周上に一定の間隔で配置される。
【０１４９】
（Ａ）第１の端子ＣＣ１
第１の端子ＣＣ１は、交換レンズ１００の装着を検出するためのレンズ検出端子である。第１の端子ＣＣ１は、カメラマイコン３４のレンズ検出用ポートＣＰ０に接続される。また、第１の端子ＣＣ１は、プルアップ抵抗ＣＲ１を介して電源供給部４２（図５参照）に接続され、所定の電位（たとえば、＋３．３Ｖ）にプルアップされる。
【０１５０】
（Ｂ）第２の端子ＣＣ２〜第４の端子ＣＣ４
第２の端子ＣＣ２、第３の端子ＣＣ３及び第４の端子ＣＣ４は、交換レンズ１００に複数のレンズ駆動用電源ＬＶ１、ＬＶ２、ＬＶ３を供給するための複数の電源端子である。
【０１５１】
ここで、第２の端子ＣＣ２は、交換レンズに第１のレンズ駆動用電源ＬＶ１を供給するための第１の電源端子である。第２の端子ＣＣ２は、レンズ駆動用電源スイッチ部４４を介して電源供給部４２に接続される（図５参照）。第２の端子ＣＣ２には、電源供給部４２から最も低い電圧の第１のレンズ駆動用電源ＬＶ１が供給される。レンズ駆動用電源スイッチ部４４は、カメラマイコン３４からの指示に応じて、第２の端子ＣＣ２への第１のレンズ駆動用電源ＬＶ１の供給をオンオフする。
【０１５２】
また、第３の端子ＣＣ３は、交換レンズに第２のレンズ駆動用電源ＬＶ２を供給するための第２の電源端子である。第３の端子ＣＣ３は、レンズ駆動用電源スイッチ部４４を介して電源供給部４２に接続される（図５参照）。第３の端子ＣＣ３には、電源供給部４２から第２のレンズ駆動用電源ＬＶ２が供給される。レンズ駆動用電源スイッチ部４４は、カメラマイコン３４からの指示に応じて、第３の端子ＣＣ３への第２のレンズ駆動用電源ＬＶ２の供給をオンオフする。
【０１５３】
また、第４の端子ＣＣ４は、交換レンズに第３のレンズ駆動用電源ＬＶ３を供給するための第３の電源端子である。第４の端子ＣＣ４は、レンズ駆動用電源スイッチ部４４を介して電源供給部４２に接続される（図５参照）。第４の端子ＣＣ４には、電源供給部４２から最も高い電圧の第３のレンズ駆動用電源ＬＶ３が供給される。レンズ駆動用電源スイッチ部４４は、カメラマイコン３４からの指示に応じて、第４の端子ＣＣ４への第３のレンズ駆動用電源ＬＶ３の供給をオンオフする。
【０１５４】
（Ｃ）第５の端子ＣＣ５及び第６の端子ＣＣ６
第５の端子ＣＣ５及び第６の端子ＣＣ６は、それぞれグランド端子であり、共に接地される。
【０１５５】
（Ｄ）第７の端子ＣＣ７〜第１２の端子ＣＣ１２
第７の端子ＣＣ７〜第１２の端子ＣＣ１２は、交換レンズ１００との間で通信するための通信端子である。
【０１５６】
ここで、第７の端子ＣＣ７は、交換レンズ１００からカメラ１０に状態を通知するための通信端子である。第７の端子ＣＣ７は、カメラマイコン３４の第１の通信用ポートＣＰ１に接続される。上記のように、カメラマイコン３４の第１の通信用ポートＣＰ１は、交換レンズ１００の特定の機能が動作期間中であることを通知するために使用される。
【０１５７】
第８の端子ＣＣ８は、カメラ１０から交換レンズ１００にＶＳＹＮＣ信号を送信するための通信端子である。第８の端子ＣＣ８は、カメラマイコン３４の第２の通信用ポートＣＰ２に接続される。
【０１５８】
第９の端子ＣＣ９、第１０の端子ＣＣ１０及び第１１の端子ＣＣ１１は、それぞれ交換レンズ１００との間でシリアル通信（３線式のシリアル通信）するための通信端子である。第９の端子ＣＣ９は、カメラマイコン３４の第３の通信用ポートＣＰ３（ＭＯＳＩポート）に接続される。第１０の端子ＣＣ１０は、カメラマイコン３４の第４の通信用ポートＣＰ４（ＳＣＫポート）に接続される。第１１の端子ＣＣ１１は、カメラマイコン３４の第５の通信用ポートＣＰ５（ＭＩＳＯポート）に接続される。
【０１５９】
第１２の端子ＣＣ１２は、交換レンズ１００との間でシリアル通信（単線式のシリアル通信）するための端子である。また、第１２の端子ＣＣ１２は、交換レンズ１００からカメラ１０に状態を通知するための端子である。第１２の端子ＣＣ１２は、カメラマイコン３４の第６の通信用ポートＣＰ６及び第７の通信用ポートＣＰ７に接続される。
【０１６０】
カメラ側端子群ＣＣＧを構成する複数の端子ＣＣ１〜ＣＣ１２は、カメラ１０に交換レンズ１００を装着する場合の交換レンズ１００の回転方向Ｒに対して、第１の端子ＣＣ１、第２の端子ＣＣ２、…、第１１の端子ＣＣ１１、第１２の端子ＣＣ１２の順で配置される。したがって、カメラ側端子群ＣＣＧは、レンズ検出端子（第１の端子ＣＣ１）、複数の電源端子（第２の端子ＣＣ２〜第４の端子ＣＣ４）、複数のグランド端子（第５の端子ＣＣ５及び第６の端子ＣＣ６）、複数の通信端子（第７の端子ＣＣ７〜第１２の端子ＣＣ１２）の順で配置される。
【０１６１】
〈レンズ側端子群〉
レンズ側端子群ＬＣＧは、カメラ側端子群ＣＣＧに対応している。したがって、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【０１６２】
（Ａ）第１の端子ＬＣ１
第１の端子ＬＣ１は、カメラ側のレンズ検出端子（第１の端子ＣＣ１）に対応したレンズ検出端子である。したがって、交換レンズ１００をカメラ１０に装着すると、第１の端子ＬＣ１は、カメラ側の第１の端子ＣＣ１に接続される。第１の端子ＬＣ１は、プルダウン抵抗ＬＲ１を介して接地され、グランドの電位にプルダウンされる。
【０１６３】
（Ｂ）第２の端子ＬＣ２、第３の端子ＬＣ３及び第４の端子ＬＣ４
第２の端子ＬＣ２、第３の端子ＬＣ３及び第４の端子ＬＣ４は、カメラ側の複数の電源端子（第２の端子ＣＣ２、第３の端子ＣＣ３及び第４の端子ＣＣ４）に対応した複数の電源端子である。したがって、交換レンズ１００をカメラ１０に装着すると、第２の端子ＬＣ２は、カメラ側の第２の端子ＣＣ２に接続され、第３の端子ＬＣ３は、カメラ側の第３の端子ＣＣ３に接続される。また、第４の端子ＬＣ４はカメラ側の第４の端子ＣＣ４に接続される。
【０１６４】
上記のように、カメラ側の第２の端子ＣＣ２は、電圧の最も低い第１のレンズ駆動用電源ＬＶ１（＋５Ｖ）を供給するための第１の電源端子である。したがって、交換レンズ１００をカメラ１０に装着すると、第２の端子ＬＣ２には、最も低い電圧の第１のレンズ駆動用電源ＬＶ１が供給される。
【０１６５】
この第２の端子ＬＣ２には、交換レンズ内において、レンズ側システム電源生成部１１２が接続される。レンズ側システム電源生成部１１２は、第２の端子ＬＣ２から供給される第１のレンズ駆動用電源ＬＶ１（＋５Ｖ）を使用して、システム電源（＋３．３Ｖ）を生成し、レンズマイコン１１４に供給する。
【０１６６】
また、カメラ側の第３の端子ＣＣ３は、第２のレンズ駆動用電源ＬＶ２（＋６．５Ｖ）を供給するための第２の電源端子である。したがって、交換レンズ１００をカメラ１０に装着すると、第３の端子ＬＣ３には、第２のレンズ駆動用電源ＬＶ２が供給される。
【０１６７】
また、カメラ側の第４の端子ＣＣ４は、最も高い電圧のレンズ駆動用電源ＬＶ３（＋１０Ｖ）を供給するための第３の電源端子である。したがって、交換レンズ１００をカメラ１０に装着すると、カメラ側の第４の端子ＣＣ４に最も高い電圧の第３のレンズ駆動用電源ＬＶ３が供給される。
【０１６８】
（Ｃ）第５の端子ＬＣ５及び第６の端子ＬＣ６
第５の端子ＬＣ５及び第６の端子ＬＣ６は、それぞれカメラ側の二つグランド端子（第５の端子ＣＣ５及び第６の端子ＣＣ６）に対応した二つのグランド端子である。したがって、交換レンズ１００をカメラ１０に装着すると、第５の端子ＬＣ５がカメラ側の第５の端子ＣＣ５に接続され、第６の端子ＬＣ６がカメラ側の第６の端子ＣＣ６に接続される。
【０１６９】
（Ｄ）第７の端子ＬＣ７〜第１２の端子ＬＣ１２
第７の端子ＬＣ７〜第１２の端子ＬＣ１２は、カメラ側の複数の通信端子（第７の端子ＣＣ７〜第１２の端子ＣＣ１２）に対応した複数の通信端子である。したがって、交換レンズ１００をカメラ１０に装着すると、第７の端子ＬＣ７がカメラ側の第７の端子ＣＣ７に接続され、第８の端子ＬＣ８がカメラ側の第８の端子ＣＣ８に接続される。また、第９の端子ＬＣ９がカメラ側の第９の端子ＣＣ９に接続され、第１０の端子ＬＣ１０がカメラ側の第１０の端子ＣＣ１０に接続される。更に、第１１の端子ＬＣ１１がカメラ側の第１１の端子ＣＣ１１に接続され、第１２の端子ＬＣ１２がカメラ側の第１２の端子ＣＣ１２に接続される。
【０１７０】
上記のように、カメラ側の第７の端子ＣＣ７は、交換レンズ１００からカメラ１０に状態を通知するための通信端子である。したがって、第７の端子ＬＣ７も交換レンズ１００からカメラ１０に状態を通知するための通信端子として使用される。第７の端子ＬＣ７は、レンズマイコン１１４の第１の通信用ポートＬＰ１に接続される。
【０１７１】
また、カメラ側の第８の端子ＣＣ８は、カメラ１０から交換レンズ１００にＶＳＹＮＣ信号を送信するための通信端子である。したがって、第８の端子ＬＣ８は、カメラ側から送信されたＶＳＹＮＣ信号を受信するための通信端子として使用される。第８の端子ＬＣ８は、レンズマイコン１１４の第２の通信用ポートＬＰ２に接続される。
【０１７２】
また、カメラ側の第９の端子ＣＣ９、第１０の端子ＣＣ１０及び第１１の端子ＣＣ１１は、それぞれ交換レンズ１００との間でシリアル通信（３線式のシリアル通信）するための通信端子である。したがって、第９の端子ＬＣ９、第１０の端子ＬＣ１０及び第１１の端子ＬＣ１１もカメラ１０との間でシリアル通信（３線式のシリアル通信）するための通信端子として使用される。第９の端子ＬＣ９は、レンズマイコン１１４の第３の通信用ポートＬＰ３に接続される。第１０の端子ＬＣ１０は、レンズマイコン１１４の第４の通信用ポートＬＰ４に接続される。第１１の端子ＬＣ１１は、レンズマイコン１１４の第５の通信用ポートＬＰ５に接続される。
【０１７３】
また、カメラ側の第１２の端子ＣＣ１２は、交換レンズ１００との間でシリアル通信（単線式のシリアル通信）するための端子、及び、交換レンズ１００からカメラ１０に状態を通知するための端子である。したがって、第１２の端子ＬＣ１２もカメラ１０との間でシリアル通信（単線式のシリアル通信）するための端子、及び、カメラ１０に状態を通知するための端子として使用される。第１２の端子ＬＣ１２は、レンズマイコン１１４の第６の通信用ポートＬＰ６及び第７の通信用ポートＬＰ７に接続される。
【０１７４】
なお、図９に示すように、通信端子を構成する複数の端子（第７の端子ＬＣ７〜第１２の端子ＬＣ１２）のうち第７の端子ＬＣ７、第８の端子ＬＣ８及び第１２の端子ＬＣ１２は、それぞれプルアップ抵抗ＬＲ７、ＬＲ８、ＬＲ１２を介してレンズ側システム電源生成部１１２に接続され、レンズ側システム電源生成部１１２から供給されるシステム電源の電位（たとえば、＋３．３Ｖ）にプルアップされる。
【０１７５】
また、通信端子を構成する複数の端子（第７の端子ＬＣ７〜第１２の端子ＬＣ１２）のうち第９の端子ＬＣ９は、プルダウン抵抗ＬＲ９を介して接地され、グランドの電位にプルダウンされる。
【０１７６】
レンズ側端子群ＬＣＧを構成する複数の端子ＬＣ１〜ＬＣ１２もカメラ側端子群ＣＣＧを構成する複数の端子ＣＣ１〜ＣＣ１２と同じ並びで配置される。すなわち、カメラ１０に交換レンズ１００を装着する場合の交換レンズ１００の回転方向Ｒに対して、第１の端子ＬＣ１、第２の端子ＬＣ２、…、第１１の端子ＬＣ１１、第１２の端子ＬＣ１２の順で配置される。したがって、レンズ側端子群ＬＣＧもレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置される。
【０１７７】
［カメラシステムの作用］
《交換レンズの装着》
交換レンズ１００に備えられたレンズ側マウント１０４をカメラ１０に備えられたカメラ側マウント１４に装着することにより、交換レンズ１００がカメラ１０に装着される。この際、カメラ１０に対して交換レンズ１００を回転させて装着する。
【０１７８】
交換レンズ１００をカメラ１０に装着することにより、レンズ側マウント１０４に備えられたレンズ側端子群ＬＣＧがカメラ側マウント１４に備えられたカメラ側端子群ＣＣＧに接続される。
【０１７９】
交換レンズ１００をカメラ１０に装着する際、レンズ側端子群ＬＣＧは、回転方向に沿ってレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置されるので、電源端子（第２の端子ＬＣ２〜第４の端子ＬＣ４）をより多くカメラ側端子群ＣＣＧの端子に接触させることができる。これにより、レンズ側端子群ＬＣＧの複数の電源端子（第２の端子ＬＣ２〜第４の端子ＬＣ４）のセルフクリーニング効果を向上できる。この結果、レンズ側端子群ＬＣＧの複数の電源端子（第２の端子ＬＣ２〜第４の端子ＬＣ４）の接触抵抗を低減でき、効率よく電源を供給できる。
【０１８０】
《交換レンズの装着の検出》
カメラマイコン３４は、カメラ側端子群ＣＣＧの第１の端子（レンズ検出端子）ＣＣ１の極性に基づいて、交換レンズ１００の装着の有無を検出する。
【０１８１】
交換レンズ１００が装着されていない場合、カメラ側の第１の端子ＣＣ１は、プルアップ抵抗ＣＲ１によってプルアップされる結果、ＨＩＧＨレベル（高電位）となる。
【０１８２】
一方、交換レンズ１００がカメラ１０に装着されると、図９に示すように、カメラ側の第１の端子ＣＣ１には、交換レンズ側の第１の端子（レンズ検出端子）ＬＣ１が接続される。交換レンズ側の第１の端子ＬＣ１は、接地されているため、交換レンズ側の第１の端子ＬＣ１が、カメラ側の第１の端子ＣＣ１に接続されると、カメラ側の第１の端子ＣＣ１は、ＬＯＷレベル（低電位）となる。
【０１８３】
カメラマイコン３４は、カメラ側の第１の端子ＣＣ１に接続されたレンズ検出用ポートＣＰ０の極性（ＨＩＧＨレベル又はＬＯＷレベル）に基づいて、交換レンズ１００の装着の有無を検出する。すなわち、レンズ検出用ポートＣＰ０の電位がＨＩＧＨレベルの場合は、交換レンズ１００が装着されていない、と判定し、レンズ検出用ポートＣＰ０の電位がＬＯＷレベルの場合は、交換レンズ１００が装着されている、と判別して、交換レンズ１００の装着の有無を検出する。
【０１８４】
なお、レンズ検出端子である第１の端子ＣＣ１は、交換レンズ１００をカメラ１０に装着する場合の交換レンズ１００の回転方向Ｒの先頭に配置される。これにより、交換レンズ１００を着脱する際、カメラ側の第１の端子ＣＣ１に交換レンズ側の第１の端子ＬＣ１以外の端子が接触するのを防止できる。これにより、誤検出を防止できる。
【０１８５】
《レンズマイコンの起動》
カメラマイコン３４は、交換レンズ１００の装着を検出すると、電源供給部４２にレンズ駆動用電源の供給を開始させる。すなわち、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されるように、電源供給部４２及びレンズ駆動用電源スイッチ部４４を制御する。これにより、カメラ側の複数の電源端子（第２の端子ＣＣ２、第３の端子ＣＣ３及び第４の端子ＣＣ４）のそれぞれにレンズ駆動用電源ＬＶ１、ＬＶ２、ＬＶ３が供給される。
【０１８６】
また、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されると、そのカメラ側の複数の電源端子（第２の端子ＣＣ２、第３の端子ＣＣ３及び第４の端子ＣＣ４）に接続された交換レンズ側の複数の電源端子（第２の端子ＬＣ２、第３の端子ＬＣ３及び第４の端子ＬＣ４）を介して、交換レンズ１００にレンズ駆動用電源ＬＶ１、ＬＶ２、ＬＶ３が供給される。
【０１８７】
交換レンズ１００にレンズ駆動用電源ＬＶ１、ＬＶ２、ＬＶ３が供給されると、そのうちの一つを使用して、レンズマイコン１１４のシステム電源が生成される。レンズマイコン１１４のシステム電源は、レンズ側システム電源生成部１１２で生成される。レンズ側システム電源生成部１１２は、カメラ側から供給された複数のレンズ駆動用電源ＬＶ１、ＬＶ２、ＬＶ３のうち最も低い電圧の第１のレンズ駆動用電源ＬＶ１（＋５Ｖ）を使用して、システム電源（＋３．３Ｖ）を生成し、レンズマイコン１１４に供給する。
【０１８８】
システム電源がレンズマイコン１１４に正常に供給されることにより、レンズマイコン１１４が起動する。
【０１８９】
《レンズマイコンにシステム電源が正常に供給されたことの検出》
カメラマイコン３４は、カメラ側端子群ＣＣＧの特定の端子の極性に基づいて、レンズマイコン１１４にシステム電源が正常に供給されたことを検出する。ここでの特定の端子とは、交換レンズ側において、プルアップ抵抗が接続された端子と接続される端子である。
【０１９０】
交換レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０１９１】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、及び、カメラ側端子群ＣＣＧの第１２の端子ＣＣ１２に接続される第６の通信用ポートＣＰ６の極性（ＨＩＧＨレベル又はＬＯＷレベル）を判別して、レンズマイコン１１４にシステム電源が正常に供給されたことを検出する。具体的には、第１の通信用ポートＣＰ１、第２の通信用ポートＣＰ２及び第６の通信用ポートＣＰ６の極性がＨＩＧＨレベルであることを検出すると、レンズマイコン１１４にシステム電源が正常に供給された、と判定する。これにより、交換レンズ側でレンズマイコン１１４のシステム電源を生成する場合であっても、レンズマイコン１１４にシステム電源が正常に供給されたことをカメラ側で適切に検知できる。特に、本実施の形態のカメラシステム１のように、複数の端子の極性を判別することにより、より正確に検知できる。
【０１９２】
《交換レンズが正規品であるか否かの判別》
カメラマイコン３４は、カメラ側端子群ＣＣＧの特定の端子の極性に基づいて、装着された交換レンズ１００が正規の交換レンズであるか否かを判別する。ここでの特定の端子とは、交換レンズ側において、プルアップ抵抗ＬＲ７、ＬＲ８、ＬＲ１２が接続された端子と接続される端子、及び、プルダウン抵抗ＬＲ９が接続された端子である。
【０１９３】
交換レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０１９４】
また、交換レンズ側において、プルダウン抵抗ＬＲ９が接続された端子は、第９の端子ＬＣ９である。そして、この端子に接続されるカメラ側の端子は、第９の端子ＣＣ９である。
【０１９５】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、カメラ側端子群ＣＣＧの第９の端子ＣＣ９に接続される第３の通信用ポートＣＰ３、及び、カメラ側端子群ＣＣＧの第１２の端子ＣＣ１２に接続される第６の通信用ポートＣＰ６の極性（ＨＩＧＨレベル又はＬＯＷレベル）を判別して、装着された交換レンズ１００が正規の交換レンズか否かを判別する。具体的には、第１の通信用ポートＣＰ１、第２の通信用ポートＣＰ２及び第６の通信用ポートＣＰ６の極性がＨＩＧＨレベルであること、及び、第３の通信用ポートＣＰ３の極性がＬＯＷレベルであることを検出すると、装着された交換レンズ１００が正規の交換レンズである、と判別する。
【０１９６】
このように、交換レンズ１００の装着時に特定の端子の極性を判別することで、装着された交換レンズ１００が正規の交換レンズか否かを容易に判別できる。
【０１９７】
《レンズ情報の取得》
カメラ１０に交換レンズ１００が装着されると、カメラマイコン３４は交換レンズ１００からレンズ情報を取得する。
【０１９８】
レンズ情報とは、その交換レンズ１００の仕様を示す情報である。レンズ情報には、たとえば、レンズ機種データ、レンズ特性データ、レンズ特性補正データ等が含まれる。レンズ機種データには、レンズ機種名、焦点距離、開放Ｆ値、メーカー名等が含まれる。レンズ特性データには、輝度シェーディングデータ、色シェーディングデータ、ディストーションデータ、収差データ等が含まれる。レンズ特性補正データには、輝度シェーディング補正データ、色シェーディング補正データ、ディストーション補正データ、収差補正データ等が含まれる。レンズ情報は、レンズマイコン１１４のＲＯＭに格納される。
【０１９９】
レンズマイコン１１４は、起動すると、そのレンズ情報をカメラ１０に向けて送信する。カメラマイコン３４は、交換レンズ１００から送信されたレンズ情報を受信して、装着された交換レンズ１００のレンズ情報を取得する。レンズ情報の送信は、レンズ側端子群ＬＣＧの第１２の端子ＬＣ１２とカメラ側端子群ＣＣＧの第１２の端子ＣＣ１２とを介した単方向シリアル通信にて行われる。
【０２００】
レンズマイコン１１４は、起動すると、第６の通信用ポートＬＰ６（ＴＸＤポート）からレンズ情報を出力する。レンズマイコン１１４の第６の通信用ポートＬＰ６から出力されたレンズ情報は、レンズ側端子群ＬＣＧの第１２の端子ＬＣ１２及びカメラ側端子群ＣＣＧの第１２の端子ＣＣ１２を介して送信され、カメラマイコン３４の第６の通信用ポートＣＰ６（ＲＸＤポート）に入力される。これにより、カメラ側において、装着された交換レンズ１００のレンズ情報が取得される。
【０２０１】
なお、レンズ情報の送受信が完了すると、カメラ側端子群ＣＣＧの第１２の端子ＣＣ１２及びレンズ側端子群ＬＣＧの第１２の端子ＬＣ１２は、交換レンズ１００からカメラ１０に状態を通知するための端子としての機能に切り換えられる。
【０２０２】
《通信設定》
カメラ１０に交換レンズ１００が装着されると、カメラマイコン３４とレンズマイコン１１４との間で３線による同期式シリアル通信を確立するための処理（通信設定）が行われる。
【０２０３】
カメラマイコン３４は、レンズマイコン１１４の起動を確認すると、３線式のシリアル通信用の端子（カメラ側端子群ＣＣＧの第９の端子ＣＣ９、第１０の端子ＣＣ１０及び第１１の端子ＣＣ１１、並びに、レンズ側端子群ＬＣＧの第９の端子ＬＣ９、第１０の端子ＬＣ１０及び第１１の端子ＬＣ１１）を介してレンズマイコン１１４と通信し、３線式の同期式シリアル通信を確立するための処理を行う。この処理は、レンズ情報の送受信と並行して行われる。これにより、交換レンズ１００の起動を高速化できる。
【０２０４】
《交換レンズの駆動（電源供給方法）》
カメラマイコン３４とレンズマイコン１１４との間の通信が確立すると、交換レンズ１００はスタンバイ状態となる。以後、カメラ１０からの指示に応じて動作が可能になる。
【０２０５】
レンズマイコン１１４は、３線式のシリアル通信用の端子を利用して、カメラマイコン３４と通信し、カメラマイコン３４から指示を受け付ける。そして、受け付けた指示に応じて、レンズ駆動部１１０を制御し、交換レンズ１００を動作させる。
【０２０６】
この際、レンズ駆動部１１０は、カメラ１０から電源（レンズ駆動用電源）の供給を受けて動作する。レンズ駆動用電源は、複数の電源端子（カメラ側の第２の端子ＣＣ２〜第４の端子ＣＣ４及び交換レンズ側の第２の端子ＬＣ２〜第４の端子ＬＣ４）を介して複数供給される。各レンズ駆動用電源ＬＶ１、ＬＶ２、ＬＶ３は、互いに電圧が異なり、それぞれ対応する駆動部に供給される。たとえば、フォーカス駆動部１１０Ａ、手ブレ補正機構駆動部１１０Ｂ、及び、絞り駆動部１１０Ｃを備えた交換レンズ１００において、最も低い電圧の第１のレンズ駆動用電源ＬＶ１（＋５Ｖ）は絞り駆動部１１０Ｃに供給される。また、中間の電圧の第２のレンズ駆動用電源ＬＶ２（＋６．５Ｖ）は、手ブレ補正機構駆動部１１０Ｂに供給される。また、最も高い電圧の第３のレンズ駆動用電源ＬＶ３（＋１０Ｖ）はフォーカス駆動部１１０Ａに供給される。
【０２０７】
このように各駆動部に対応する電圧の電源がカメラ側から供給されることにより、交換レンズ側で電源を生成する必要がなくなり、交換レンズ１００の構成を簡素化できる。また、ノイズ対策も不要になるので、より構成を簡素化できる。
【０２０８】
更に、複数の電源端子を介して交換レンズに電源を供給することにより、効率よく電源を供給できる。たとえば、交換レンズ側で大きな電源が必要な場合、一つの電源端子から供給すると、端子部分での損失が大きくなる。しかし、複数の電源端子を介して交換レンズに供給する構成とすることにより、端子部分での損失を低減でき、効率よく電源を供給できる。すなわち、複数の電源端子を介して交換レンズに供給する構成とすることにより、端子面積を大きく取ることができ、損失を減らして、効率よく電源を供給できる。
【０２０９】
その一方で電源端子の数が増えるが、本実施の形態のカメラシステム１では、システム電源用の端子を削減できるので、端子数の増加も抑制できる。
【０２１０】
《レンズ駆動用電源の個別のオンオフ》
上記のように、交換レンズ１００には、カメラ１０から電圧の異なる複数のレンズ駆動用電源が供給される。
【０２１１】
しかし、交換レンズ１００によっては、必ずしもすべてのレンズ駆動用電源が使用されるとは限らず、一部のレンズ駆動用電源のみが使用される場合もある。たとえば、各駆動部が同じ動作電圧で動作する場合などには、その動作電圧以外のレンズ駆動用電源は使用されない。
【０２１２】
そこで、交換レンズ側で使用しない電圧のレンズ駆動用電源は供給を停止する。これにより、省電力化が図れる。
【０２１３】
どの電圧のレンズ駆動用電源が必要かは、交換レンズごとに異なる。カメラマイコン３４は、交換レンズ１００から取得したレンズ情報に基づいて、必要な電圧のレンズ駆動用電源を判別し、電源供給部４２から必要な電圧のレンズ駆動用電源のみを供給させる。具体的には、次のように処理する。
【０２１４】
まず、交換レンズ１００から取得したレンズ情報に基づいて、装着された交換レンズ１００に必要な電圧のレンズ駆動用電源を判別する。カメラマイコン３４に備えられたＲＯＭには、判定テーブルが格納されており、カメラマイコン３４は、その判定テーブルを参照して、装着された交換レンズ１００に必要な電圧のレンズ駆動用電源を判別する。判定テーブルには、カメラシステム１を構成する交換レンズ（レンズ機種名）ごとに、必要な電圧のレンズ駆動用電源の情報が対応付けられて記録される。
【０２１５】
次に、カメラマイコン３４は、判別結果に基づいて、レンズ駆動用電源スイッチ部４４を制御し、交換レンズ側で未使用のレンズ駆動用電源の供給を停止する。たとえば、中間の電圧である第２のレンズ駆動用電源ＬＶ２が、交換レンズ側で未使用の場合、第２のレンズ駆動用電源ＬＶ２の供給を停止させる。これにより、必要なレンズ駆動用電源のみが供給される。
【０２１６】
なお、最も低い電圧の第１のレンズ駆動用電源ＬＶ１は、レンズマイコン１１４のシステム電源に使用する関係上、必ず使用されるレンズ駆動用電源となる。したがって、実際に供給が停止されるのは、中間の電圧である第２のレンズ駆動用電源ＬＶ２又は最も高い電圧の第３のレンズ駆動用電源ＬＶ３となる。
【０２１７】
このように、交換レンズ側で未使用のレンズ駆動用電源の供給を停止することにより、効率よく電源を供給でき、かつ、省電力化が図れる。
【０２１８】
なお、本例では、カメラ側に備えられた判定テーブルを参照して、必要な電圧のレンズ駆動用電源を判別する構成としているが、交換レンズから送信するレンズ情報に必要な電圧のレンズ駆動用電源を含めてもよい。
【０２１９】
《交換レンズの取り外し》
交換レンズ１００をカメラ１０から取り外す場合は、交換レンズ１００を取り付けたときとは逆の方向に交換レンズ１００を回転させて、カメラ１０から取り外す。この際、交換レンズ１００の電源端子（第２の端子ＬＣ２、第３の端子ＬＣ３及び第４の端子ＬＣ４）が、交換レンズ１００のグランド端子（第５の端子ＬＣ５及び第６の端子ＬＣ６）に対して、回転方向の後側（交換レンズ１００を装着するときの回転方向Ｒに対しては前側）に配置されていることにより、交換レンズ１００を安全に取り外すことができる。
【０２２０】
すなわち、交換レンズ１００を取り外すときの回転方向に対して、電源端子がグランド端子の後側に隣接して配置されていることにより、交換レンズ１００を取り外す方向に回転させると、直後に交換レンズ１００の電源端子がカメラ１０のグランド端子に接触する構造となる。すなわち、他の端子に触れることなく、交換レンズ１００の電源端子がカメラ１０のグランド端子に接触する構造となる。これにより、電源端子及びその配線に残存する電荷を適切に処理でき、安全に交換レンズ１００を取り外すことができる。
【０２２１】
また、複数の電源端子が、交換レンズ１００を取り外すときの回転方向に対して、電圧の高い順（交換レンズ１００を装着するときの回転方向Ｒに対しては低い順）に配置されていることにより、電源端子同士が接触しても、適切に交換レンズ側に残存する電荷を処理できる。すなわち、交換レンズ１００を取り外すために回転させると、交換レンズ側の電源端子は、必ず自身よりも高い電圧の電源を供給するカメラ側の電源端子又はグランド端子に接触する構造になるので、交換レンズ側の電源端子及びその配線に電荷が残存していても、適切に処理できる。これにより、安全に交換レンズ１００を取り外すことができる。
【０２２２】
◆◆第２の実施の形態◆◆
［カメラシステムの構成］
図１０は、レンズ交換式のカメラシステムの第２の実施の形態のシステム構成図である。
【０２２３】
同図に示すように、本実施の形態のカメラシステム１は、カメラ１０と交換レンズ１００との間に着脱自在に装着されるアクセサリー２００を更に備える。アクセサリー２００は、少なくとも一つ備えられる。本実施の形態では、二つのアクセサリー２００が備えられる。アクセサリー２００は、たとえば、エクステンダー、エクステンションチューブ等で構成される。本実施の形態では、二つのアクセサリー２００が共にエクステンダーで構成される。この場合、エクステンダーレンズが備えられる。二つのアクセサリー２００のうち一方は焦点距離を１．４倍に伸ばすエクステンダーで構成され、他方は焦点距離を２倍に伸ばすエクステンダーで構成される。
【０２２４】
《アクセサリーの外観構成》
アクセサリー２００は、その鏡胴２０２の基端側にアクセサリー側第１マウント２０４Ａを備え、先端側にアクセサリー側第２マウント２０４Ｂを備える。
【０２２５】
アクセサリー側第１マウント２０４Ａは、アクセサリー２００をカメラ１０に装着するためのマウントである。アクセサリー側第１マウント２０４Ａは、交換レンズ１００に備えられるレンズ側マウント１０４と同じ構造を有する。
【０２２６】
アクセサリー側第２マウント２０４Ｂは、アクセサリー２００に交換レンズ１００を装着するためのマウントである。アクセサリー側第２マウント２０４Ｂは、カメラ１０に備えられるカメラ側マウント１４と同じ構造を有する。
【０２２７】
アクセサリー２００は、アクセサリー側第１マウント２０４Ａを介してカメラ１０に装着される。アクセサリー２００が装着されたカメラ１０は、アクセサリー２００のアクセサリー側第２マウント２０４Ｂに交換レンズ１００が装着される。
【０２２８】
《アクセサリーの電気的構成》
図１１は、アクセサリーの電気的な構成を示す図である。
【０２２９】
〈アクセサリー側第１端子群及びアクセサリー側第２端子群〉
（Ａ）アクセサリー側第１端子群
アクセサリー２００のアクセサリー側第１マウント２０４Ａには、複数の端子Ａ１Ｃ１〜Ａ１Ｃ１２で構成されるアクセサリー側第１端子群Ａ１ＣＧが備えられる。アクセサリー側第１端子群Ａ１ＣＧは、カメラ側端子群ＣＣＧに対応して設けられる。したがって、カメラ側端子群ＣＣＧを構成する端子と同じ数の端子で構成され、かつ、各端子Ａ１Ｃ１〜Ａ１Ｃ１２は、カメラ側端子群ＣＣＧを構成する端子ＣＣ１〜ＣＣ１２と同じ間隔で配置される。
【０２３０】
アクセサリー２００をカメラ１０に装着すると、アクセサリー側第１端子群Ａ１ＣＧの各端子Ａ１Ｃ１〜Ａ１Ｃ１２が、カメラ側端子群ＣＣＧの対応する端子ＣＣ１〜ＣＣ１２に接続される。すなわち、アクセサリー側第１端子群Ａ１ＣＧの第１の端子Ａ１Ｃ１がカメラ側端子群ＣＣＧの第１の端子ＣＣ１に接続され、アクセサリー側第１端子群Ａ１ＣＧの第２の端子Ａ１Ｃ２がカメラ側端子群ＣＣＧの第２の端子ＣＣ２に接続され、…、アクセサリー側第１端子群Ａ１ＣＧの第１２の端子Ａ１Ｃ１２がカメラ側端子群ＣＣＧの第１２の端子ＣＣ１２に接続される。
【０２３１】
カメラ側端子群ＣＣＧの第１の端子ＣＣ１は、レンズ検出端子を構成するので、アクセサリー側第１端子群Ａ１ＣＧの第１の端子Ａ１Ｃ１もレンズ検出端子を構成する。
【０２３２】
また、カメラ側端子群ＣＣＧの第２の端子ＣＣ２、第３の端子ＣＣ３及び第４の端子ＣＣ４は、それぞれ電源端子を構成するので、アクセサリー側第１端子群Ａ１ＣＧの第２の端子Ａ１Ｃ２、第３の端子Ａ１Ｃ３及び第４の端子Ａ１Ｃ４もそれぞれ対応する電源端子を構成する。
【０２３３】
なお、第２の端子Ａ１Ｃ２が、最も低い電圧のレンズ駆動用電源ＬＶ１を供給する端子であり、第４の端子Ａ１Ｃ４が、最も高い電圧のレンズ駆動用電源ＬＶ３を供給する端子である。また、第３の端子Ａ１Ｃ３が、中間の電圧のレンズ駆動用電源ＬＶ２を供給する端子である。
【０２３４】
また、カメラ側端子群ＣＣＧの第５の端子ＣＣ５及び第６の端子ＣＣ６は、それぞれグランド端子を構成するので、アクセサリー側第１端子群Ａ１ＣＧの第５の端子Ａ１Ｃ５及び第６の端子Ａ１Ｃ６もそれぞれ対応するグランド端子を構成する。
【０２３５】
更に、カメラ側端子群ＣＣＧの第７の端子ＣＣ７〜第１２の端子ＣＣ１２は、それぞれ通信端子を構成するので、アクセサリー側第１端子群Ａ１ＣＧの第７の端子Ａ１Ｃ７〜第１２の端子Ａ１Ｃ１２もそれぞれ対応する通信端子を構成する。
【０２３６】
（Ｂ）アクセサリー側第２端子群
アクセサリー２００のアクセサリー側第２マウント２０４Ｂには、複数の端子Ａ２Ｃ１〜Ａ２Ｃ１２で構成されるアクセサリー側第２端子群Ａ２ＣＧが備えられる。アクセサリー側第２端子群Ａ２ＣＧは、レンズ側端子群ＬＣＧに対応して設けられる。したがって、レンズ側端子群ＬＣＧを構成する端子と同じ数の端子で構成され、かつ、各端子Ａ２Ｃ１〜Ａ２Ｃ１２は、レンズ側端子群ＬＣＧを構成する端子ＣＣ１〜ＣＣ１２と同じ間隔で配置される。
【０２３７】
交換レンズ１００をアクセサリー２００に装着すると、レンズ側端子群ＬＣＧの各端子ＬＣ１〜ＬＣ１２が、アクセサリー側第２端子群Ａ２ＣＧの対応する端子Ａ２Ｃ１〜Ａ２Ｃ１２に接続される。すなわち、レンズ側端子群ＬＣＧの第１の端子ＬＣ１がアクセサリー側第２端子群Ａ２ＣＧの第１の端子Ａ２Ｃ１に接続され、レンズ側端子群ＬＣＧの第２の端子ＬＣ２がアクセサリー側第２端子群Ａ２ＣＧの第２の端子Ａ２Ｃ２に接続され、…、レンズ側端子群ＬＣＧの第１２の端子ＬＣ１２がアクセサリー側第２端子群Ａ２ＣＧの第１２の端子Ａ２Ｃ１２に接続される。
【０２３８】
レンズ側端子群ＬＣＧの第１の端子ＬＣ１は、レンズ検出端子を構成するので、アクセサリー側第２端子群Ａ２ＣＧの第１の端子Ａ２Ｃ１もレンズ検出端子を構成する。
【０２３９】
また、レンズ側端子群ＬＣＧの第２の端子ＬＣ２、第３の端子ＬＣ３及び第４の端子ＬＣ４は、それぞれ電源端子を構成するので、アクセサリー側第２端子群Ａ２ＣＧの第２の端子Ａ２Ｃ２、第３の端子Ａ２Ｃ３及び第４の端子Ａ２Ｃ４もそれぞれ対応する電源端子を構成する。
【０２４０】
なお、第２の端子Ａ２Ｃ２が、最も低い電圧のレンズ駆動用電源ＬＶ１を供給する端子であり、第４の端子Ａ２Ｃ４が、最も高い電圧のレンズ駆動用電源ＬＶ３を供給する端子である。また、第３の端子Ａ２Ｃ３が、中間の電圧のレンズ駆動用電源ＬＶ２を供給する端子である。
【０２４１】
また、レンズ側端子群ＬＣＧの第５の端子ＬＣ５及び第６の端子ＬＣ６は、それぞれグランド端子を構成するので、アクセサリー側第２端子群Ａ２ＣＧの第５の端子Ａ２Ｃ５及び第６の端子Ａ２Ｃ６もそれぞれ対応するグランド端子を構成する。
【０２４２】
更に、レンズ側端子群ＬＣＧの第７の端子ＬＣ７〜第１２の端子ＬＣ１２は、それぞれ通信端子を構成するので、アクセサリー側第２端子群Ａ２ＣＧの第７の端子Ａ２Ｃ７〜第１２の端子Ａ２Ｃ１２もそれぞれ対応する通信端子を構成する。
【０２４３】
〈アクセサリー側第１端子群とアクセサリー側第２端子群との関係〉
（Ａ）第１の端子
アクセサリー側第１端子群Ａ１ＣＧにおいてレンズ検出端子を構成する第１の端子Ａ１Ｃ１及びアクセサリー側第２端子群Ａ２ＣＧにおいてレンズ検出端子を構成する第１の端子Ａ２Ｃ１は、アクセサリー内において、第１の接続配線ＡＬ１によって互いに接続される。これにより、カメラ１０と交換レンズ１００との間にアクセサリー２００を装着した場合であっても、カメラ１０の第１の端子ＣＣ１と交換レンズ１００の第１の端子ＬＣ１とを電気的に接続できる。
【０２４４】
（Ｂ）第２の端子〜第４の端子
アクセサリー側第１端子群Ａ１ＣＧにおいて第１の電源端子を構成する第２の端子Ａ１Ｃ２及びアクセサリー側第２端子群Ａ２ＣＧにおいて第１の電源端子を構成する第２の端子Ａ２Ｃ２は、アクセサリー内において、アクセサリー側電源線を構成する第２の接続配線ＡＬ２によって互いに接続される。これにより、カメラ１０と交換レンズ１００との間にアクセサリー２００を装着した場合であっても、カメラ１０の第２の端子ＣＣ２と交換レンズ１００の第２の端子ＬＣ２とを電気的に接続できる。この場合、第２の接続配線ＡＬ２は、カメラ１０から交換レンズ１００に最も低い電圧の第１のレンズ駆動用電源ＬＶ１を供給する配線として機能する。
【０２４５】
アクセサリー側第１端子群Ａ１ＣＧにおいて第２の電源端子を構成する第３の端子Ａ１Ｃ３及びアクセサリー側第２端子群Ａ２ＣＧにおいて第２の電源端子を構成する第３の端子Ａ２Ｃ３は、アクセサリー内において、アクセサリー側電源線を構成する第３の接続配線ＡＬ３によって互いに接続される。これにより、カメラ１０と交換レンズ１００との間にアクセサリー２００を装着した場合であっても、カメラ１０の第３の端子ＣＣ３と交換レンズ１００の第３の端子ＬＣ３とを電気的に接続できる。この場合、第３の接続配線ＡＬ３は、カメラ１０から交換レンズ１００に中間の電圧の第２のレンズ駆動用電源ＬＶ２を供給する配線として機能する。
【０２４６】
アクセサリー側第１端子群Ａ１ＣＧにおいて第３の電源端子を構成する第４の端子Ａ１Ｃ４及びアクセサリー側第２端子群Ａ２ＣＧにおいて第３の電源端子を構成する第４の端子Ａ２Ｃ４は、アクセサリー内において、アクセサリー側電源線を構成する第４の接続配線ＡＬ４によって互いに接続される。これにより、カメラ１０と交換レンズ１００との間にアクセサリー２００を装着した場合であっても、カメラ１０の第４の端子ＣＣ４と交換レンズ１００の第４の端子ＬＣ４とを電気的に接続できる。この場合、第４の接続配線ＡＬ４は、カメラ１０から交換レンズ１００に最も高い電圧の第３のレンズ駆動用電源ＬＶ３を供給する配線として機能する。
【０２４７】
（Ｃ）第５の端子及び第６の端子
アクセサリー側第１端子群Ａ１ＣＧにおいて第２のグランド端子を構成する第６の端子Ａ１Ｃ６及びアクセサリー側第２端子群Ａ２ＣＧにおいて第２のグランド端子を構成する第６の端子Ａ２Ｃ６は、アクセサリー内において、アクセサリー側グランド線を構成する第６の接続配線ＡＬ６によって互いに接続される。これにより、カメラ１０と交換レンズ１００との間にアクセサリー２００を装着した場合であっても、カメラ１０の第６の端子ＣＣ６と交換レンズ１００の第６の端子ＬＣ６とを電気的に接続できる。
【０２４８】
アクセサリー側第１端子群Ａ１ＣＧにおいて第１のグランド端子を構成する第５の端子Ａ１Ｃ５及びアクセサリー側第２端子群Ａ２ＣＧにおいて第１のグランド端子を構成する第５の端子Ａ２Ｃ５は、アクセサリー内において、それぞれ第５の接続配線ＡＬ５Ａ、ＡＬ５Ｂを介して第６の接続配線ＡＬ６に接続される。これにより、カメラ１０と交換レンズ１００との間にアクセサリー２００を装着した場合であっても、カメラ１０の第５の端子ＣＣ５と交換レンズ１００の第５の端子ＬＣ５とを電気的に接続できる。
【０２４９】
（Ｄ）第７の端子〜第１２の端子
アクセサリー側第１端子群Ａ１ＣＧにおいて通信端子を構成する第７の端子Ａ１Ｃ７及びアクセサリー側第２端子群Ａ２ＣＧにおいて通信端子を構成する第７の端子Ａ２Ｃ７は、アクセサリー内において、アクセサリー側通信線を構成する第７の接続配線ＡＬ７によって互いに接続される。これにより、カメラ１０と交換レンズ１００との間にアクセサリー２００を装着した場合であっても、カメラ１０の第７の端子ＣＣ７と交換レンズ１００の第７の端子ＬＣ７とを電気的に接続できる。
【０２５０】
アクセサリー側第１端子群Ａ１ＣＧにおいて通信端子を構成する第８の端子Ａ１Ｃ８及びアクセサリー側第２端子群Ａ２ＣＧにおいて通信端子を構成する第８の端子Ａ２Ｃ８は、アクセサリー内において、アクセサリー側通信線を構成する第８の接続配線ＡＬ８によって互いに接続される。これにより、カメラ１０と交換レンズ１００との間にアクセサリー２００を装着した場合であっても、カメラ１０の第８の端子ＣＣ８と交換レンズ１００の第８の端子ＬＣ８とを電気的に接続できる。
【０２５１】
アクセサリー側第１端子群Ａ１ＣＧにおいて通信端子を構成する第９の端子Ａ１Ｃ９及びアクセサリー側第２端子群Ａ２ＣＧにおいて通信端子を構成する第９の端子Ａ２Ｃ９は、アクセサリー内において、アクセサリー側通信線を構成する第９の接続配線ＡＬ９によって互いに接続される。これにより、カメラ１０と交換レンズ１００との間にアクセサリー２００を装着した場合であっても、カメラ１０の第９の端子ＣＣ９と交換レンズ１００の第９の端子ＬＣ９とを電気的に接続できる。
【０２５２】
アクセサリー側第１端子群Ａ１ＣＧにおいて通信端子を構成する第１０の端子Ａ１Ｃ１０及びアクセサリー側第２端子群Ａ２ＣＧにおいて通信端子を構成する第１０の端子Ａ２Ｃ１０は、アクセサリー内において、アクセサリー側通信線を構成する第１０の接続配線ＡＬ１０によって互いに接続される。これにより、カメラ１０と交換レンズ１００との間にアクセサリー２００を装着した場合であっても、カメラ１０の第１０の端子ＣＣ１０と交換レンズ１００の第１０の端子ＬＣ１０とを電気的に接続できる。
【０２５３】
アクセサリー側第１端子群Ａ１ＣＧにおいて通信端子を構成する第１１の端子Ａ１Ｃ１１及びアクセサリー側第２端子群Ａ２ＣＧにおいて通信端子を構成する第１１の端子Ａ２Ｃ１１は、アクセサリー内において、アクセサリー側通信線を構成する第１１の接続配線ＡＬ１１によって互いに接続される。これにより、カメラ１０と交換レンズ１００との間にアクセサリー２００を装着した場合であっても、カメラ１０の第１１の端子ＣＣ１１と交換レンズ１００の第１１の端子ＣＣ１１とを電気的に接続できる。
【０２５４】
ここで、第９の端子、第１０の端子及び第１１の端子は、３線式のシリアル通信に使用される端子なので、第９の接続配線ＡＬ９、第１０の接続配線ＡＬ１０及び第１１の接続配線ＡＬ１１は、３線式のシリアル通信に使用される。
【０２５５】
アクセサリー側第１端子群Ａ１ＣＧにおいて通信端子を構成する第１２の端子Ａ１Ｃ１２及びアクセサリー側第２端子群Ａ２ＣＧにおいて通信端子を構成する第１２の端子Ａ２Ｃ１２は、アクセサリー内において、それぞれ第１２の接続配線ＡＬ１２Ａ、ＡＬ１２Ｂを介して、アクセサリーマイコン２１０に接続される。
【０２５６】
〈アクセサリーマイコン〉
アクセサリーマイコン２１０は、アクセサリー制御部の一例であり、アクセサリー２００の動作を制御する。
【０２５７】
アクセサリーマイコン２１０は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０２５８】
図１２は、アクセサリーマイコンが実現する機能の一例を示すブロック図である。
【０２５９】
同図に示すように、アクセサリーマイコン２１０は、規定のプログラムを実行することにより、アクセサリー通信部２１２、バイパス制御部２１４等として機能する。
【０２６０】
アクセサリー通信部２１２は、アクセサリー２００が装着されたカメラ１０及び交換レンズ１００と通信する。通信は、アクセサリーマイコン入出力ポート２１６を介して行われる。アクセサリーマイコン入出力ポート２１６には、カメラ１０及び交換レンズ１００との間で単線式のシリアル通信するための第１のポートＡＰ１及び第２のポートＡＰ２を備える。第１のポートＡＰ１は、データを出力するＴＸＤポートとして機能する。第１のポートＡＰ１は、第１２の接続配線ＡＬ１２Ａを介して、アクセサリー側第１端子群Ａ１ＣＧの第１２の端子Ａ１Ｃ１２に接続される（図１１参照）。第２のポートＡＰ２は、データを受信するＲＸＤポートとして機能する。第２のポートＡＰ２は、第１２の接続配線ＡＬ１２Ｂを介して、アクセサリー側第２端子群Ａ２ＣＧの第１２の端子Ａ２Ｃ１２に接続される（図１１参照）。
【０２６１】
これにより、カメラ側端子群ＣＣＧの第１２の端子ＣＣ１２及びアクセサリー側第１端子群Ａ１ＣＧの第１２の端子Ａ１Ｃ１２を介して、カメラマイコン３４とアクセサリーマイコン２１０とが通信可能に接続される。また、レンズ側端子群ＬＣＧの第１２の端子ＬＣ１２及びアクセサリー側第２端子群Ａ２ＣＧの第１２の端子Ａ２Ｃ１２を介して、レンズマイコン１１４とアクセサリーマイコン２１０とが通信可能に接続される。
【０２６２】
バイパス制御部２１４は、カメラマイコン３４とレンズマイコン１１４とが、アクセサリーマイコン２１０を経由せずに通信するためのバイパス機構のオンオフを制御する制御部である。バイパス機構は、次のように構成される。
【０２６３】
〈バイパス機構〉
（Ａ）バイパス機構の構成
図１１に示すように、アクセサリー側第１端子群Ａ１ＣＧの第１２の端子Ａ１Ｃ１２とアクセサリー側第２端子群Ａ２ＣＧの第１２の端子Ａ２Ｃ１２との間には、アクセサリーマイコン２１０を回避するようにバイパス線２３２が接続される。
【０２６４】
バイパス線２３２には、第１のスイッチとしての第１のＦＥＴ（ＦＥＴ：Field-Effect Transistor／電界効果トランジスター）２３４、及び、第２のスイッチとしての第２のＦＥＴ２３６が接続される。
【０２６５】
第1のＦＥＴ２３４は、そのソース端子がバイパス線２３２を介してアクセサリー側第１端子群Ａ１ＣＧの第１２の端子Ａ１Ｃ１２に接続される。また、そのドレイン端子がバイパス線２３２を介して第２のＦＥＴ２３６のドレイン端子に接続される。
【０２６６】
また、第２のＦＥＴ２３６は、そのソース端子がバイパス線２３２を介してアクセサリー側第２端子群Ａ２ＣＧの第１２の端子Ａ２Ｃ１２に接続される。
【０２６７】
第１のＦＥＴ２３４及び第２のＦＥＴ２３６は、それぞれゲート端子が、第２の接続配線ＡＬ２と第６の接続配線ＡＬ６とを接続する配線２３８に接続される。
【０２６８】
配線２３８には、第３のスイッチとしての第３のＦＥＴ２４０及びプルアップ抵抗２４２が接続される。
【０２６９】
上記のように、第２の接続配線ＡＬ２は、最も低い電圧の第１のレンズ駆動用電源ＬＶ１を供給する配線として機能するので、配線２３８に接続された第１のＦＥＴ２３４及び第２のＦＥＴ２３６は、それぞれゲート端子が第１のレンズ駆動用電源ＬＶ１の電位にプルアップされる。
【０２７０】
第３のＦＥＴ２４０は、そのドレイン端子が配線２３８を介してプルアップ抵抗２４２に接続される。また、そのソース端子が、配線２３８を介して、第６の接続配線ＡＬ６に接続される。第６の接続配線ＡＬ６は、グランド線として機能するので、第３のＦＥＴ２４０は、ソース端子が接地される。
【０２７１】
また、第３のＦＥＴ２４０は、そのゲート端子が、配線２４４を介してアクセサリーマイコン２１０の第３のポートＡＰ３に接続される。バイパス制御部２１４として機能するアクセサリーマイコン２１０は、この第３のポートＡＰ３の極性（ＨＩＧＨレベル又はＬＯＷレベル）を制御して、バイパス機構のオンオフを制御する。
【０２７２】
（Ｂ）バイパス機構の動作
アクセサリー２００を装着した場合において、カメラマイコン３４とレンズマイコン１１４とが、アクセサリーマイコン２１０を経由して通信するモードを通常通信モードとし、カメラマイコン３４とレンズマイコン１１４とが、アクセサリーマイコン２１０を経由せずに通信するモードをバイパスモードとする。通常通信モードでは、バイパス機構がオフされ、バイパスモードでは、バイパス機構がオンされる。
【０２７３】
（１）通常通信モード
通常通信モードでは、バイパス機構がオフされる。この場合、アクセサリーマイコン２１０は、そのアクセサリーマイコン入出力ポート２１６の第３のポートＡＰ３の極性をＨＩＧＨレベルに設定する。これにより、第３のＦＥＴ２４０のゲート端子がＨＩＧＨレベルに設定され、スイッチとしての第３のＦＥＴ２４０がオンとなる。
【０２７４】
一方、スイッチとしての第３のＦＥＴ２４０がオンとなることにより、第１のＦＥＴ２３４及び第２のＦＥＴ２３６のゲート端子が、それぞれＬＯＷレベルに設定される。これにより、スイッチとしての第１のＦＥＴ２３４及び第２のＦＥＴ２３６がオフとなる。この結果、バイパス線２３２が切断され、バイパス機構がオフされる。
【０２７５】
これにより、アクセサリーマイコン２１０を介して、カメラマイコン３４とレンズマイコン１１４とが通信可能になる。より具体的には、アクセサリーマイコン２１０とカメラマイコン３４とが通信可能に接続され、かつ、アクセサリーマイコン２１０とレンズマイコン１１４とが通信可能に接続される。
【０２７６】
なお、ここでの通信は、単線式のシリアル通信となる。この場合、レンズマイコン１１４からアクセサリーマイコン２１０にデータが送信され、かつ、アクセサリーマイコン２１０からカメラマイコン３４にデータが送信される。
【０２７７】
（２）バイパスモード
バイパスモードでは、バイパス機構がオンされる。この場合、アクセサリーマイコン２１０は、そのアクセサリーマイコン入出力ポート２１６の第３のポートＡＰ３の極性をＬＯＷレベルに設定する。これにより、スイッチとしての第３のＦＥＴ２４０がオフとなる。
【０２７８】
一方、スイッチとしての第３のＦＥＴ２４０がオフとなると、第１のＦＥＴ２３４及び第２のＦＥＴ２３６のゲート端子が、それぞれＨＩＧＨレベルに設定される。これにより、スイッチとしての第１のＦＥＴ２３４及び第２のＦＥＴ２３６がオンとなる。この結果、バイパス線２３２が開通し、バイパス機構がオンされる。
【０２７９】
これにより、アクセサリーマイコン２１０を経由せずにカメラマイコン３４とレンズマイコン１１４とが直接通信できるように設定される。
【０２８０】
〈アクセサリー側システム電源生成部〉
アクセサリーマイコン２１０を動作させるためのシステム電源は、アクセサリー内に備えられたアクセサリー側システム電源生成部２５０によって生成される。アクセサリー側システム電源生成部２５０は、交換レンズ１００に備えられたレンズ側システム電源生成部１１２と同様に、カメラ１０から供給されるレンズ駆動用電源を使用して、アクセサリーマイコン２１０のシステム電源を生成する。
【０２８１】
ここで、アクセサリーマイコン２１０は、交換レンズ１００に備えられたレンズ駆動部１１０を構成する各駆動部よりも低い電圧で作動する構成とされる。たとえば、＋３．３Ｖで作動する構成とされる。
【０２８２】
アクセサリー側システム電源生成部２５０は、カメラ１０から供給される複数のレンズ駆動用電源ＬＶ１〜ＬＶ３のうち最も低い電圧のレンズ駆動用電源ＬＶ１（＋５Ｖ）を使用して、アクセサリーマイコン２１０のシステム電源（＋３．３Ｖ）を生成する。このため、アクセサリー側システム電源生成部２５０は、電源端子である第２の端子に接続された第２の接続配線ＡＬ２に接続される。
【０２８３】
なお、アクセサリー側システム電源生成部２５０もレンズ側システム電源生成部１１２と同様に抵抗による電圧降下によりシステム電源を生成する。これにより、システム電源の生成に伴うノイズの発生を防止できる。アクセサリー側システム電源生成部２５０は、たとえば、ＬＤＯレギュレーターで構成される。
【０２８４】
〈その他の構成〉
アクセサリー側第１端子群Ａ１ＣＧの第１２の端子Ａ１Ｃ１２は、プルダウン抵抗ＡＲ１２を介して接地され、グランドの電位にプルダウンされる。これにより、アクセサリー２００をカメラ１０に装着した際、カメラ１０の第１２の端子ＣＣ１２がＬＯＷレベルに設定される。カメラマイコン３４は、第１２の端子ＣＣ１２がＬＯＷレベルであることを検出することにより、カメラ１０にアクセサリー２００が装着されたことを検出できる。
【０２８５】
なお、このアクセサリー側第１端子群Ａ１ＣＧの第１２の端子Ａ１Ｃ１２に接続されたプルダウン抵抗ＡＲ１２は、交換レンズ１００の第１２の端子ＬＣ１２に接続されたプルアップ抵抗ＬＲ１２よりも大きな抵抗値を有する。たとえば、交換レンズ１００の第１２の端子ＬＣ１２に接続されたプルアップ抵抗ＬＲ１２が２．２ｋΩ、アクセサリー側第１端子群Ａ１ＣＧの第１２の端子Ａ１Ｃ１２に接続されたプルダウン抵抗ＡＲ１２が２２０ｋΩで構成される。これにより、たとえば、アクセサリー２００のモードが、バイパスモードに設定されている場合であっても、カメラ１０の第１２の端子ＣＣ１２をＬＯＷレベルに設定できる。
【０２８６】
また、アクセサリーマイコン２１０のアクセサリーマイコン入出力ポート２１６は、第４のポートＡＰ４を備える。第４のポートＡＰ４は、入力用の通信用ポートとして機能し、配線２６０を介して第７の接続配線ＡＬ７に接続される。これにより、第７の接続配線ＡＬ７を介して送信される情報をアクセサリーマイコン２１０で受信できる。
【０２８７】
［カメラシステムの作用］
図１３は、カメラと交換レンズとの間にアクセサリーを装着した場合の相互の電気的な接続を示す図である。
【０２８８】
《アクセサリーの装着》
アクセサリー２００に備えられたアクセサリー側第１マウント２０４Ａをカメラ１０に備えられたカメラ側マウント１４に装着することにより、アクセサリー２００がカメラ１０に装着される。この際、カメラ１０に対してアクセサリー２００を回転させて装着する。
【０２８９】
また、交換レンズ１００に備えられたレンズ側マウント１０４をアクセサリー２００に備えられたアクセサリー側第２マウント２０４Ｂに装着することにより、交換レンズ１００がアクセサリー２００に装着される。この際、アクセサリー２００に対して交換レンズ１００を回転させて装着する。
【０２９０】
これにより、交換レンズ１００とカメラ１０との間にアクセサリー２００が装着される。アクセサリー２００を装着することにより、交換レンズ１００のレンズ側端子群ＬＣＧが、アクセサリー２００のアクセサリー側第２端子群Ａ２ＣＧに接続される。また、カメラ１０のカメラ側端子群ＣＣＧが、アクセサリー２００のアクセサリー側第１端子群Ａ１ＣＧに接続される。
【０２９１】
《カメラと交換レンズとの間の電気的な接続》
（Ａ）第１の端子
アクセサリー２００が装着されることにより、レンズ検出端子であるカメラ１０の第１の端子ＣＣ１は、アクセサリー２００の第１の接続配線ＡＬ１を介して、交換レンズ１００の第１の端子ＬＣ１と電気的に接続される。これにより、カメラ１０において、交換レンズ１００の装着を検出できる。
【０２９２】
（Ｂ）第２の端子〜第４の端子
アクセサリー２００が装着されることにより、第１の電源端子であるカメラ１０の第２の端子ＣＣ２は、アクセサリー２００の第２の接続配線ＡＬ２を介して、交換レンズ１００の第２の端子ＬＣ２と電気的に接続される。また、第２の電源端子であるカメラ１０の第３の端子ＣＣ３は、アクセサリー２００の第３の接続配線ＡＬ３を介して、交換レンズ１００の第３の端子ＬＣ３と電気的に接続される。また、第３の電源端子であるカメラ１０の第４の端子ＣＣ４は、アクセサリー２００の第４の接続配線ＡＬ４を介して、交換レンズ１００の第４の端子ＬＣ４と電気的に接続される。
【０２９３】
これにより、カメラ１０から交換レンズ１００にレンズ駆動用電源ＬＶ１、ＬＶ２、ＬＶ３を供給できる。
【０２９４】
（Ｃ）第５の端子及び第６の端子
アクセサリー２００が装着されることにより、グランド端子であるカメラ１０の第５の端子ＣＣ５及び第６の端子ＣＣ６は、アクセサリー２００の第５の接続配線ＡＬ５Ａ、ＡＬ５Ｂ及び第６の接続配線ＡＬ６を介して、交換レンズ１００の第５の端子ＬＣ５及び第６の端子ＬＣ６と電気的に接続できる。
【０２９５】
（Ｄ）第７の端子〜第１２の端子
アクセサリー２００が装着されることにより、通信端子であるカメラ１０の第７の端子ＣＣ７〜第１１の端子ＣＣ１１は、アクセサリー２００の第７の接続配線ＡＬ７〜第１１の接続配線ＡＬ１１を介して、交換レンズ１００の第７の端子ＬＣ７〜第１１の端子ＬＣ１１と電気的に接続される。これにより、カメラ１０と交換レンズ１００との間で３線式のシリアル通信等が可能になる。
【０２９６】
また、アクセサリー２００が装着されることにより、通信端子であるカメラ１０の第１２の端子ＣＣ１２は、アクセサリー２００の第１２の接続配線ＡＬ１２Ａを介してアクセサリーマイコン２１０と電気的に接続される。また、通信端子である交換レンズ１００の第１２の端子ＬＣ１２は、アクセサリー２００の第１２の接続配線ＡＬ１２Ｂを介してアクセサリーマイコン２１０と電気的に接続される。これにより、カメラマイコン３４とアクセサリーマイコン２１０との間で通信が可能になり、かつ、レンズマイコン１１４とアクセサリーマイコン２１０との間で通信が可能になる。
【０２９７】
《アクセサリーの装着の検出》
上記のように、カメラマイコン３４は、第１２の端子ＣＣ１２の極性を判別することで、アクセサリー２００の装着の有無を検出できる。
【０２９８】
上記のように、アクセサリー２００をカメラ１０に装着すると、カメラ１０の第１２の端子ＣＣ１２がＬＯＷレベルに設定される。カメラマイコン３４は、第１２の端子ＣＣ１２がＬＯＷレベルであることを検出することにより、カメラ１０にアクセサリー２００が装着されたと判定する。
【０２９９】
《アクセサリーマイコンの起動》
カメラ１０から交換レンズ１００にレンズ駆動用電源ＬＶ１、ＬＶ２、ＬＶ３が供給されると、その一部がアクセサリー側システム電源生成部２５０に供給される。具体的には、最も低い電圧の第１のレンズ駆動用電源ＬＶ１（＋５Ｖ）が、アクセサリー側システム電源生成部２５０に供給される。アクセサリー側システム電源生成部２５０は、供給されたレンズ駆動用電源ＬＶ１を使用して、アクセサリーマイコン２１０のシステム電源（＋３．３Ｖ）を生成し、アクセサリーマイコン２１０に供給する。これにより、アクセサリーマイコン２１０が起動する。
【０３００】
《アクセサリー情報の取得》
アクセサリー２００が装着されると、装着されたアクセサリー２００のアクセサリー情報がカメラに送信される。アクセサリー情報とは、そのアクセサリー２００の仕様を示す情報である。アクセサリー情報には、たとえば、アクセサリー機種データ、アクセサリー装着位置データ、光学補正データ等が含まれる。アクセサリー機種データには、アクセサリー機種名、アクセサリー種別、メーカー名等が含まれる。アクセサリー装着位置データには、有効なアクセサリーの装着位置のデータ、装着数のデータ等が含まれる。光学補正データには、アクセサリーを装着した場合の画像の補正データ等が含まれる。アクセサリー情報は、アクセサリーマイコン２１０のＲＯＭに格納される。
【０３０１】
アクセサリー情報は、交換レンズ１００からカメラ１０にレンズ情報を送信する際、そのレンズ情報に付加されて、カメラ１０に送信される。
【０３０２】
上記のように、レンズ情報は、交換レンズ１００の第１２の端子ＬＣ１２及びカメラ１０の第１２の端子ＣＣ１２介して交換レンズ１００からカメラ１０に送信される。
【０３０３】
アクセサリー２００が装着された場合、交換レンズ１００の第１２の端子ＬＣ１２から出力されたレンズ情報は、アクセサリー２００のアクセサリー側第２端子群Ａ２ＣＧの第１２の端子Ａ２Ｃ１２を介してアクセサリーマイコン２１０に受信される。
【０３０４】
アクセサリーマイコン２１０は、交換レンズ１００からレンズ情報を受信すると、そのレンズ情報に自身のアクセサリー情報を付加してカメラ１０に送信する。送信された情報（レンズ情報＋アクセサリー情報）は、アクセサリー２００のアクセサリー側第１端子群Ａ１ＣＧの第１２の端子Ａ１Ｃ１２から出力され、カメラ１０の第１２の端子ＣＣ１２を介してカメラマイコン３４に受信される。
【０３０５】
これにより、装着されたアクセサリー２００及び交換レンズ１００の情報をカメラ１０が同時に取得できる。
【０３０６】
なお、上記のように、レンズ情報の送受信が完了すると、カメラ側端子群ＣＣＧの第１２の端子ＣＣ１２及びレンズ側端子群ＬＣＧの第１２の端子ＬＣ１２は、交換レンズ１００からカメラ１０に状態を通知するための端子としての機能に切り換えられる。この際、アクセサリーは、バイパスモードに切り換えられる。
【０３０７】
◆◆その他の実施の形態◆◆
［レンズ駆動用電源の強化］
電源供給部４２が、特定の電源の供給能力を強化する機能（供給能力強化機能）を備え、レンズ駆動用電源の供給能力を強化できるように構成してもよい。この場合、電源供給部４２は、複数供給するレンズ駆動用電源のうちの最も高い電圧のレンズ駆動用電源の供給能力を強化させる構成にする。
【０３０８】
供給能力を強化する態様としては、供給する電圧を高くする態様、及び／又は、供給する電流量を大きくする態様を採用できる。
【０３０９】
カメラマイコン３４は、必要に応じて最も高い電圧のレンズ駆動用電源の供給能力を強化させる。たとえば、レンズ駆動用電源の供給能力を強化することにより駆動性能を向上できる交換レンズが装着された場合は、最も高い電圧のレンズ駆動用電源の供給能力を強化させる。
【０３１０】
レンズ駆動用電源の供給能力を強化することにより駆動性能を向上できる交換レンズであるか否かは、交換レンズごとに異なる。レンズ駆動用電源の供給能力を強化することにより駆動性能を向上できる交換レンズについては、その情報をレンズマイコン１１４のＲＯＭに格納し、レンズ情報に含めて、カメラ１０に送信する。
【０３１１】
カメラマイコン３４は、取得したレンズ情報に基づいて、装着された交換レンズが、レンズ駆動用電源の供給能力を強化することにより、駆動性能を向上できる交換レンズであるか否かを判断する。すなわち、供給能力が強化されたレンズ駆動用電源の供給の要否を判別する。そして、供給能力が強化されたレンズ駆動用電源の供給が必要である、と判別すると、電源供給部４２の供給能力強化機能を動作させる。これにより、電源供給部４２から供給能力を強化したレンズ駆動用電源が供給される。なお、この場合、上記のように、最も高い電圧のレンズ駆動用電源の供給能力が強化されて供給される。
【０３１２】
このように、必要に応じてレンズ駆動用電源の供給能力を強化することにより、交換レンズごとに必要な電源を適切に供給できる。また、これにより、交換レンズの高性能化が図れる。
【０３１３】
［カメラシステムの構成］
カメラシステムは、少なくとも一つのカメラと、少なくとも一つの交換レンズとで構成でき、少なくとも一つのアクセサリーを含めることができる。
【０３１４】
上記実施の形態では、カメラをデジタルカメラで構成しているが、いわゆる銀塩カメラにも適用できる。
【０３１５】
なお、本発明は、交換レンズ側でノイズが発生するのを防止できるので、デジタルカメラ、特にノンレフレックス型のデジタルカメラに適用した場合に特に有効に作用する。ノンレフレックス型のデジタルカメラは、イメージセンサーと交換レンズとの間隔が、一眼レフカメラ等のレフレックス型のデジタルカメラに比して、交換レンズから受けるノイズの影響が大きいからである。
【０３１６】
上記実施の形態では、交換レンズとして、ＡＦ機能、手ブレ補正機能及び絞りを備えた交換レンズを例に説明したが、交換レンズに備える機能は、これに限定されるものではない。この他、たとえば、電動式のズーム機能等を備えてもよい。電動式のズーム機能を備えた交換レンズでは、ズーム用の光学部材であるズームレンズを駆動するズーム駆動部が備えられる。
【０３１７】
アクセサリーには、上記のように、エクステンダー、エクステンションチューブ等の公知のアクセサリーを採用できる。アクセサリーに駆動部が備えられる場合は、交換レンズの場合と同様に、レンズ駆動用電源を利用して、駆動部が駆動される。
【０３１８】
［レンズ駆動用電源の種類］
カメラから交換レンズに供給するレンズ駆動用電源の種類は、カメラシステムを構成する交換レンズに応じて適宜設定される。たとえば、カメラシステムを構成する交換レンズの一つが４つの光学部材駆動部を備えており（たとえば、フォーカス駆動部、手ブレ補正機構駆動部、絞り駆動部及びズーム駆動部）それぞれが異なる動作電圧で動作する場合、４種類のレンズ駆動用電源がカメラから供給される。この場合、電源端子として４つの端子が、カメラ側端子群及びレンズ側端子群に備えられる。
【０３１９】
［グランド端子］
上記実施の形態では、グランド端子を二つ備えているが、グランド端子は一つで構成することもできる。なお、上記実施の形態のカメラシステムのように、グランド端子を複数備えることにより、より安定した電源供給が可能になる。
【０３２０】
なお、上記実施の形態では、独立した二つのグランド端子を備えているが、二つのグランド端子を繋げてもよい。これにより、端子の面積を拡大でき、より安定した電源供給が可能になる。
【０３２１】
［レンズマイコンにシステム電源が正常に供給されたことの検出］
上記実施の形態では、特定の端子の極性を判別して、レンズマイコンにシステム電源が正常に供給されたことを検出しているが、極性を判別する端子は、少なくとも一つでよい。すなわち、交換レンズ側において、プルアップ抵抗を介してシステム電源の電位にプルアップする端子は、少なくとも一つあればよい。この場合、電源端子及びグランド端子を除いた少なくとも一つの端子を検出用の端子として使用する。
【０３２２】
なお、上記実施の形態のカメラシステム１のように、複数の端子の極性を判別することにより、レンズマイコンにシステム電源が正常に供給されたことを、より正確に検出できる。
【０３２３】
［各種の処理を行う構成］
上記実施の形態では、各種処理を行うカメラ制御部をマイコン（カメラマイコン）で構成しているが、各種処理を行うためのハードウェア的な構成は、これに限定されるものではない。各種のプロセッサーで構成できる。各種のプロセッサーには、ソフトウェア（プログラム）を実行して各種の処理を行う処理部として機能する汎用的なプロセッサーであるＣＰＵ、ＦＰＧＡ（ＦＰＧＡ：Field Programmable Gate Array）などの製造後に回路構成を変更可能なプロセッサーであるＰＬＤ（ＰＬＤ：Programmable Logic Device）、ＡＳＩＣ（ＡＳＩＣ：Application Specific Integrated Circuit）などの特定の処理を実行させるために専用に設計された回路構成を有するプロセッサーである専用電気回路などが含まれる。
【０３２４】
一つの処理部は、これら各種のプロセッサーのうちの一つで構成されていてもよいし、同種又は異種の二つ以上のプロセッサーで構成されていてもよい。たとえば、複数のＦＰＧＡで構成されてもよいし、ＣＰＵ及びＦＰＧＡの組み合わせで構成されてもよい。
【０３２５】
また、複数の処理部を一つのプロセッサーで構成してもよい。複数の処理部を一つのプロセッサーで構成する例としては、第１に、クライアント、サーバなどのコンピューターに代表されるように、一つ以上のＣＰＵとソフトウェアとの組合せで一つのプロセッサーを構成し、このプロセッサーが複数の処理部として機能する形態がある。第２に、システムオンチップ（ＳｏＣ：System On Chip）などに代表されるように、複数の処理部を含むシステム全体の機能を一つのＩＣチップ（ＩＣ：Integrated Circuit）で実現するプロセッサーを使用する形態がある。このように、各種の処理部は、ハードウェア的な構造として、上記各種のプロセッサーを一つ以上用いて構成される。
【０３２６】
更に、これらの各種のプロセッサーのハードウェア的な構造は、より具体的には、半導体素子などの回路素子を組み合わせた電気回路である。
【符号の説明】
【０３２７】
１  カメラシステム
１０  カメラ
１２  カメラボディー
１４  カメラ側マウント
１６  イメージセンサー
１８  シャッター
２０  イメージセンサー駆動部
２２  シャッター駆動部
２４  アナログ信号処理部
２６  表示部
２８  画像データ記憶部
３０  カメラ操作部
３２  電源部
３４  カメラマイコン
４０  バッテリー
４２  電源供給部
４４  レンズ駆動用電源スイッチ部
５０  デジタル信号処理部
５２  表示制御部
５４  記録制御部
５６  電源制御部
５８  レンズ駆動用電源スイッチ制御部
６０  レンズ装着検出部
６２  カメラ通信部
６４  カメラマイコン入出力ポート
１００  交換レンズ
１０２  レンズ鏡胴
１０４  レンズ側マウント
１０６Ａ  フォーカスレンズ
１０６Ｂ  手ブレ補正用レンズ
１０６Ｃ  絞り
１１０  レンズ駆動部
１１０Ａ  フォーカス駆動部
１１０Ｂ  手ブレ補正機構駆動部
１１０Ｃ  絞り駆動部
１１２  レンズ側システム電源生成部
１１４  レンズマイコン
１２０  フォーカス駆動制御部
１２２  手ブレ補正機構駆動制御部
１２４  絞り駆動制御部
１２６  レンズ通信部
１２８  レンズマイコン入出力ポート
２００  アクセサリー
２０２  鏡胴
２０４Ａ  アクセサリー側第１マウント
２０４Ｂ  アクセサリー側第２マウント
２１０  アクセサリーマイコン
２１２  アクセサリー通信部
２１４  バイパス制御部
２１６  アクセサリーマイコン入出力ポート
２３２  バイパス線
２３４  第１のＦＥＴ
２３６  第２のＦＥＴ
２３８  配線
２４０  第３のＦＥＴ
２４２  プルアップ抵抗
２４４  配線
２５０  アクセサリー側システム電源生成部
２６０  配線
ＬＶ１〜ＬＶ３  レンズ駆動用電源
ＬＶ１  第１のレンズ駆動用電源
ＬＶ２  第２のレンズ駆動用電源
ＬＶ３  第３のレンズ駆動用電源
ＣＣＧ  カメラ側端子群
ＣＣ１〜ＣＣ１２  端子
ＣＣ１  第１の端子
ＣＣ２  第２の端子
ＣＣ３  第３の端子
ＣＣ４  第４の端子
ＣＣ５  第５の端子
ＣＣ６  第６の端子
ＣＣ７  第７の端子
ＣＣ８  第８の端子
ＣＣ９  第９の端子
ＣＣ１０  第１０の端子
ＣＣ１１  第１１の端子
ＣＣ１２  第１２の端子
ＬＣＧ  レンズ側端子群
ＬＣ１〜ＬＣ１２  端子
ＬＣ１  第１の端子
ＬＣ２  第２の端子
ＬＣ３  第３の端子
ＬＣ４  第４の端子
ＬＣ５  第５の端子
ＬＣ６  第６の端子
ＬＣ７  第７の端子
ＬＣ８  第８の端子
ＬＣ９  第９の端子
ＬＣ１０  第１０の端子
ＬＣ１１  第１１の端子
ＬＣ１２  第１２の端子
Ａ１ＣＧ  アクセサリー側第１端子群
Ａ１Ｃ１〜Ａ１Ｃ２  端子
Ａ１Ｃ１  第１の端子
Ａ１Ｃ２  第２の端子
Ａ１Ｃ３  第３の端子
Ａ１Ｃ４  第４の端子
Ａ１Ｃ５  第５の端子
Ａ１Ｃ６  第６の端子
Ａ１Ｃ７  第７の端子
Ａ１Ｃ８  第８の端子
Ａ１Ｃ９  第９の端子
Ａ１Ｃ１０  第１０の端子
Ａ１Ｃ１１  第１１の端子
Ａ１Ｃ１２  第１２の端子
Ａ２ＣＧ  アクセサリー側第２端子群
Ａ２Ｃ１〜Ａ２Ｃ１２  端子
Ａ２Ｃ１  第１の端子
Ａ２Ｃ２  第２の端子
Ａ２Ｃ３  第３の端子
Ａ２Ｃ４  第４の端子
Ａ２Ｃ５  第５の端子
Ａ２Ｃ６  第６の端子
Ａ２Ｃ７  第７の端子
Ａ２Ｃ８  第８の端子
Ａ２Ｃ９  第９の端子
Ａ２Ｃ１０  第１０の端子
Ａ２Ｃ１１  第１１の端子
Ａ２Ｃ１２  第１２の端子
ＣＰ０〜ＣＰ７  カメラマイコン入出力ポート
ＣＰ０  レンズ検出用ポート
ＣＰ１  第１の通信用ポート
ＣＰ２  第２の通信用ポート
ＣＰ３  第３の通信用ポート
ＣＰ４  第４の通信用ポート
ＣＰ５  第５の通信用ポート
ＣＰ６  第６の通信用ポート
ＣＰ７  第７の通信用ポート
ＬＰ１〜ＬＰ７  レンズマイコン入出力ポート
ＬＰ１  第１の通信用ポート
ＬＰ２  第２の通信用ポート
ＬＰ３  第３の通信用ポート
ＬＰ４  第４の通信用ポート
ＬＰ５  第５の通信用ポート
ＬＰ６  第６の通信用ポート
ＬＰ７  第７の通信用ポート
ＡＰ１〜ＡＰ４  アクセサリーマイコン入出力ポート
ＡＰ１  第１のポート
ＡＰ２  第２のポート
ＡＰ３  第３のポート
ＡＰ４  第４のポート
ＡＬ１〜ＡＬ１２  接続配線
ＡＬ１  第１の接続配線
ＡＬ２  第２の接続配線
ＡＬ３  第３の接続配線
ＡＬ４  第４の接続配線
ＡＬ５Ａ  第５の接続配線
ＡＬ５Ｂ  第５の接続配線
ＡＬ６  第６の接続配線
ＡＬ７  第７の接続配線
ＡＬ８  第８の接続配線
ＡＬ９  第９の接続配線
ＡＬ１０  第１０の接続配線
ＡＬ１１  第１１の接続配線
ＡＬ１２Ａ  第１２の接続配線
ＡＬ１２Ｂ  第１２の接続配線
ＡＲ１２  プルダウン抵抗
ＣＲ１  プルアップ抵抗
ＬＲ１  プルダウン抵抗
ＬＲ１２  プルアップ抵抗
ＬＲ７  プルアップ抵抗
ＬＲ８  プルアップ抵抗
ＬＲ９  プルダウン抵抗
Ｒ  カメラに交換レンズを装着する場合の交換レンズの回転方向
【図１】
2020016885.tif 000003
【図２】
2020016885.tif 000004
【図３】
2020016885.tif 000005
【図４】
2020016885.tif 000006
【図５】
2020016885.tif 000007
【図６】
2020016885.tif 000008
【図７】
2020016885.tif 000009
【図８】
2020016885.tif 000010
【図９】
2020016885.tif 000011
【図１０】
2020016885.tif 000012
【図１１】
2020016885.tif 000013
【図１２】
2020016885.tif 000014
【図１３】
2020016885.tif 000015
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
カメラ側マウントに着脱自在に装着されるレンズ側マウントと、
それぞれ異なる電圧のレンズ駆動用電源が入力される複数の電源端子を含む複数の端子で構成され、前記レンズ側マウントに備えられるレンズ側端子群と、
複数の前記電源端子から入力される複数の前記レンズ駆動用電源の各電圧に対応した動作電圧で動作する複数の光学部材駆動部と、
複数の前記電源端子から入力される複数の前記レンズ駆動用電源の各電圧より低い電圧で作動するレンズ制御部と、
複数の前記電源端子から入力される複数の前記レンズ駆動用電源のうち最も低い電圧の前記レンズ駆動用電源を使用して、前記レンズ制御部に供給するシステム電源を生成するレンズ側システム電源生成部と、
を備える交換レンズ。
【請求項２】
前記レンズ側システム電源生成部は、抵抗による電圧降下により前記システム電源を生成する、
請求項１に記載の交換レンズ。
【請求項３】
前記レンズ側システム電源生成部が、リニアレギュレーターで構成される、
請求項２に記載の交換レンズ。
【請求項４】
前記レンズ側システム電源生成部が、ＬＤＯレギュレーターで構成される、
請求項３に記載の交換レンズ。
【請求項５】
前記レンズ側マウントは、回転して前記カメラ側マウントに装着され、
前記レンズ側端子群は、グランド端子を更に含み、複数の前記電源端子と前記グランド端子とが隣接して配置され、かつ、前記レンズ側マウントを前記カメラ側マウントに装着する場合の回転方向に対して、複数の前記電源端子が前記グランド端子の前側に配置され、かつ、前記レンズ側マウントを前記カメラ側マウントに装着する場合の回転方向に対して、複数の前記電源端子が電圧の低い順に配置される、
請求項１から４のいずれか１項に記載の交換レンズ。
【請求項６】
前記レンズ側端子群は、複数の前記グランド端子を備える、
請求項５に記載の交換レンズ。
【請求項７】
前記レンズ側端子群は、レンズ検出端子を更に含み、前記レンズ側マウントを前記カメラ側マウントに装着する場合の回転方向に対して、前記レンズ検出端子を先頭にして複数の前記端子が配置される、
請求項５又は６に記載の交換レンズ。
【請求項８】
前記レンズ側端子群は、通信端子を更に含み、前記レンズ側マウントを前記カメラ側マウントに装着する場合の回転方向に対して、前記レンズ検出端子を先頭にして複数の前記電源端子、前記グランド端子及び前記通信端子を含む他の端子の順に配置される、
請求項７に記載の交換レンズ。
【請求項９】
前記レンズ側端子群を構成する複数の前記端子のうち前記電源端子及び前記グランド端子を除いた少なくとも一つの端子には、前記レンズ側システム電源生成部で生成された前記システム電源の電位にプルアップするプルアップ抵抗が接続される、
請求項５から８のいずれか１項に記載の交換レンズ。
【請求項１０】
前記レンズ側端子群を構成する複数の前記端子のうち前記電源端子、前記グランド端子及び前記プルアップ抵抗が接続された前記レンズ側端子群の端子を除いた少なくとも一つの端子には、グランドの電位にプルダウンするプルダウン抵抗が接続される、
請求項９に記載の交換レンズ。
【請求項１１】
カメラ側マウントに着脱自在に装着されるレンズ側マウントと、
それぞれ異なる電圧のレンズ駆動用電源が入力される複数の電源端子及び通信端子を含む複数の端子で構成され、前記レンズ側マウントに備えられるレンズ側端子群と、
複数の前記電源端子から入力される複数のレンズ駆動用電源のうちの少なくとも一つを使用して動作する少なくとも一つの光学部材駆動部と、
複数の前記電源端子から入力される複数の前記レンズ駆動用電源の各電圧より低い電圧で作動するレンズ制御部と、
複数の前記電源端子から入力される複数のレンズ駆動用電源のうち最も低い電圧のレンズ駆動用電源を使用して、前記レンズ制御部に供給するシステム電源を生成するレンズ側システム電源生成部と、
を備え、
前記レンズ制御部は、前記レンズ側マウントが前記カメラ側マウントに装着されると、前記通信端子を介して、交換レンズに必要な電圧の前記レンズ駆動用電源をカメラ側で判別するのに必要な情報をカメラ側に送信する、
交換レンズ。
【請求項１２】
前記レンズ制御部は、前記レンズ側マウントが前記カメラ側マウントに装着されると、前記通信端子を介して、前記情報を含むレンズ情報をカメラ側に送信する、
請求項１１に記載の交換レンズ。
【請求項１３】
前記情報は、交換レンズを識別する情報である、
請求項１１又は１２に記載の交換レンズ。
【請求項１４】
前記情報は、レンズ機種名の情報である、
請求項１３に記載の交換レンズ。
【請求項１５】
前記情報は、交換レンズに必要な電圧の前記レンズ駆動用電源の情報である、
請求項１１又は１２に記載の交換レンズ。
【手続補正３】
【補正対象書類名】明細書
【補正対象項目名】０００１
【補正方法】変更
【補正の内容】
【０００１】
本発明はレンズ交換式のカメラシステムの交換レンズに関する。
【手続補正４】
【補正対象書類名】明細書
【補正対象項目名】０００８
【補正方法】変更
【補正の内容】
【０００８】
本発明は、このような事情に鑑みてなされたもので、構成を簡素化できる交換レンズを提供することを目的とする。